(57)【特許請求の範囲】
【請求項１】
前側に遊技領域が設けられる透明板と、この透明板の裏側に取り付けられ、該透明板の周縁部を覆う裏ユニットとを有する遊技盤を備え、該裏ユニットの裏側に設けた設置領域に、各種図柄を表示可能な図柄表示装置が配設されると共に、該裏ユニットで画成される可視表示部を介して、図柄表示装置の表示部を遊技盤の前側から視認し得るよう構成された遊技機において、
前記遊技領域に臨ませて前記透明板に設けられる始動入賞口の上側に位置して、該透明板に貫通形成された開口部と、
遊技球を左右方向へ転動させる転動面を有するステージ部および該遊技領域から取り込んだ遊技球を転動面に案内するワープルートを前記透明板の後側に形成するワープルート部が設けられ、転動面を開口部に嵌め合わせて透明板の後側から取り付けられるステージ部材と、
前記透明板の前側から取り付けられ、前記ステージ部材のステージ部の前側を覆う前飾り部材とを備え、
前記前飾り部材には、
該前飾り部材における前記透明板に面する位置に設けられ、該透明板に設けられた第１位置決め孔に挿入される第１位置決めピンと、
該前飾り部材において前記開口部から前側に臨む前記ステージ部に面する位置に設けられ、該ステージ部の前面に設けられた第２位置決め孔に挿入される第２位置決めピンと、
前記第１位置決めピンおよび前記第２位置決めピンより後方へ突出し、前記開口部の開口縁に沿わせて、前記透明板の板面に沿う方向の少なくとも一方への前飾り部材の移動を規制する位置決め片とが設けられる
ことを特徴とする遊技機。
【請求項２】
前記前飾り部材には、前記開口部の下縁に沿う前記位置決め片が左右に離間して複数設けられ、前記ステージ部の前面下部には、前記複数の位置決め片が夫々挿入される凹部が左右に離間して形成される請求項１記載の遊技機。
【請求項３】
前記ステージ部材のステージ部には、前記転動面に開口する球入口に連通して上下方向に延在する第１通路と、この第１通路および該ステージ部の前面に開口する球出口に連通して前後方向に延在する第２通路とからなる球通路が設けられ、
前記ステージ部の転動面には、遊技球を前記球入口に誘導する案内溝が設けられ、
前記第１通路の前壁には、上下方向に延在する縦リブが設けられ、該縦リブの後端と第１通路の後壁との間および該縦リブの下端と前記第２通路の底部との間が、遊技球１個分の通過を許容する寸法に設定される請求項１または２記載の遊技機。
【請求項４】
前記第２通路の底部は、遊技球の直径より小さい寸法で左右に対向した一対の斜面を備え、該一対の斜面により第２通路を流通する遊技球を左右から２点で支持するよう構成され、
前記球通路の球出口に重なる前記前飾り部材の球開口は、底部が前記第２通路の底部と整合する形状に形成される請求項３記載の遊技機。
【請求項５】
前記ステージ部材は、
上面に設けられた前記転動面、前面に設けられた前記第２位置決め孔および後面に設けられた突片を備えた前部材と、
一側部に前記ワープルート部の下端が接続されると共に、前記転動面の後方に立ち上がる後壁および前記突片が挿入される挿入孔を備え、前記前部材の後側に取り付けられる後部材とから構成され、
前記第１通路の前壁は前記前部材で形成され、前記縦リブが該前部材の後面に設けられる請求項３または４記載の遊技機。
【請求項６】
前記ワープルート部は、前記図柄表示装置の図柄表示領域の外側方に配置され、
該ワープルート部は、該図柄表示領域から離間する外側方に遊技領域から取り込んだ遊技球を誘導する第１傾斜路と該図柄表示領域に向かう内側方へ遊技球を誘導する第２傾斜路とを有する前記ワープルートを、前記透明板の後側に形成する折れ曲がり形状とされる請求項１〜５の何れか一項に記載の遊技機。
【請求項７】
前記図柄表示装置における図柄表示領域の上側および側方に延在させて前記透明板の前面に設けられた庇状部材の側部下側に、前記ワープルートの導入口が設けられ、該透明板に貫通形成されて前記第１傾斜路の上端に連通する導入開口に整合する規制片が、該導入口の後面に設けられる請求項６記載の遊技機。
【発明の詳細な説明】
【技術分野】
【０００１】
この発明は、ステージ部材およびワープルートを設けた遊技盤を備えた遊技機に関するものである。
【背景技術】
【０００２】
例えば遊技機の代表例の一つであるパチンコ機は、機内にセットされる遊技盤の盤面にパチンコ球が打ち出される遊技領域が画成されて、該遊技盤における遊技領域の裏側に、各種図柄を変動表示して図柄変動演出を行なう液晶パネルが用いられた図柄表示装置が配設される。またパチンコ機は、遊技盤に形成した開口部等を介して図柄表示装置の表示面を前側から視認し得るよう構成される。この種のパチンコ機では、遊技盤の前面側に、遊技領域に打ち出されたパチンコ球が入賞可能な入賞装置が配設され、該入賞装置へのパチンコ球の入賞により図柄表示装置での図柄変動演出が開始されるよう構成されている。そして、パチンコ機では、図柄変動演出の結果として図柄表示装置に所定の組合わせで図柄が停止すると、遊技者に有利な所謂大当りが発生するようになっている。
【０００３】
近年のパチンコ機は、前記図柄表示装置で行なわれる図柄変動演出の多様化やインパクトを高め、遊技の面白みを増大させることを目的として、前記遊技盤に対して大型の図柄表示装置が配設される傾向が強くなっている。特に、遊技盤を合成樹脂製の透明板とこの透明板の裏側に取り付けた裏ユニットで形成した、所謂「透明遊技盤」が設けられたパチンコ機では、遊技盤の裏側の大部分が図柄表示装置で覆われて、図柄表示装置に表示された画面表示により、遊技盤の盤面の装飾を行なうようになっている(例えば、特許文献１参照)。
【０００４】
パチンコ機では、遊技盤にステージ部材を設けることで、遊技領域からステージ部材に取り込んだパチンコ球に転動面で左右に揺れる動きを与えることで、遊技者の興趣を高めている。またパチンコ機には、遊技領域の入り口から取り込んだパチンコ球を、遊技領域の流下経路と別経路でステージ部材の転動面に導くワープルートが設けられる。例えば特許文献１に開示のパチンコ機では、ステージ部材を透明なベース板に設けられた開口部に前側から挿入した後、ステージ部材をベース板にネジで固定している。またワープルートは、ステージ部材と別体のカバー部材をベース板の後面にネジ固定することで、ベース板とカバー部材との間に形成される。
【特許文献１】特開２００５−２７０７４１号公報
【発明の開示】
【発明が解決しようとする課題】
【０００５】
ところで、ベース板にステージ部材やカバー部材を取り付ける際に、ベース板が透明であると、ステージ部材等をネジ孔に合わせて位置決めするのが難しく、組み付け作業に手間がかかると共に組み付け誤差が生じ易い問題が指摘されている。すなわち、ステージ部材が傾いた姿勢で取り付けられると、ステージ部材から最終的に始動入賞口に誘導されるべきパチンコ球が、意図しない位置から落下したり、ステージ部材に設けた球通路で球詰まりが発生する原因となる。また、ステージ部材とカバー部材が別体であると、両者の取り付け誤差により位置ずれが生じ、ワープルートからパチンコ球がステージ部材の転動面にうまく案内されないおそれがある。
【０００６】
すなわち本発明は、従来の技術に係る遊技機に内在する前記問題に鑑み、これらを好適に解決するべく提案されたものであって、透明板に部材が精度よく取り付けられた遊技機を提供することを目的とする。
【課題を解決するための手段】
【０００７】
前記課題を克服し、所期の目的を達成するため、本願の請求項１に係る発明の遊技機は、
前側に遊技領域(40a)が設けられる透明板(41)と、この透明板(41)の裏側に取り付けられ、該透明板(41)の周縁部を覆う裏ユニット(51)とを有する遊技盤(40)を備え、該裏ユニット(51)の裏側に設けた設置領域(S)に、各種図柄を表示可能な図柄表示装置(30)が配設されると共に、該裏ユニット(51)で画成される可視表示部(52)を介して、図柄表示装置(30)の表示部を遊技盤(40)の前側から視認し得るよう構成された遊技機において、
前記遊技領域(40a)に臨ませて前記透明板(41)に設けられる始動入賞口(43a)の上側に位置して、該透明板(41)に貫通形成された開口部(49)と、
遊技球を左右方向へ転動させる転動面(62a)を有するステージ部(65)および該遊技領域(40a)から取り込んだ遊技球を転動面(62a)に案内するワープルート(63)を前記透明板(41)の後側に形成するワープルート部(66)が設けられ、転動面(62a)を開口部(49)に嵌め合わせて透明板(41)の後側から取り付けられるステージ部材(64)と、
前記透明板(41)の前側から取り付けられ、前記ステージ部材(64)のステージ部(65)の前側を覆う前飾り部材(82)とを備え、
前記前飾り部材(82)には、
該前飾り部材(82)における前記透明板(41)に面する位置に設けられ、該透明板(41)に設けられた第１位置決め孔(41a)に挿入される第１位置決めピン(84)と、
該前飾り部材(82)において前記開口部(49)から前側に臨む前記ステージ部(65)に面する位置に設けられ、該ステージ部(65)の前面に設けられた第２位置決め孔(69a)に挿入される第２位置決めピン(85)と、
前記第１位置決めピン(84)および前記第２位置決めピン(85)より後方へ突出し、前記開口部(49)の開口縁に沿わせて、前記透明板(41)の板面に沿う方向の少なくとも一方への前飾り部材(82)の移動を規制する位置決め片(86)とが設けられることを特徴とする。
請求項１に係る発明によれば、第１位置決めピンおよび第２位置決めピンより後方へ突出する位置決め片が透明板における開口部の開口縁に引っ掛かることで、前飾り部材の移動が規制されて、前飾り部材の透明板に対する大まかな位置合わせを行なうことができる。そして、位置決め片が開口部の開口縁に沿って案内されたもとで、第１位置決めピンが透明板の第１位置決め孔に整合するので、第１位置決めピンの第１位置決め孔への挿入が円滑になされる。そして、第１位置決めピンを第１位置決め孔に挿入することで、前飾り部材は透明板に対して精度よく位置決めされる。また、精度よく透明板に位置決めされた前飾り部材の第２位置決めピンがステージ部材の第２位置決め孔に挿入されることで、両部材の位置決めがなされ、ステージ部材も透明板に対して精度よく取り付けられる。このように、前飾り部材およびステージ部材を透明板に取り付ける際に、透明板に対する位置合わせが容易であるので、取り付け作業性がよく簡単に取り付けることができる。更に、ワープルートを形成するワープルート部とステージ部とがステージ部材に設けられているので、ステージ部材の透明板への取り付けに起因して、ワープルート部とステージ部との間に位置ずれが生じない。
【０００８】
請求項２に係る発明では、前記前飾り部材(82)には、前記開口部(49)の下縁に沿う前記位置決め片(86)が左右に離間して複数設けられ、前記ステージ部(65)の前面下部には、前記複数の位置決め片(86)が夫々挿入される凹部(67a)が左右に離間して形成されることを要旨とする。
請求項２に係る発明によれば、前飾り部材を透明部材の前側から取り付ける際に、ステージ部の凹部により位置決め片がステージ部に干渉することなく、前飾り部材をスムーズに位置合わせすることができる。
【０００９】
請求項３に係る発明では、前記ステージ部材(64)のステージ部(65)には、前記転動面(62a)に開口する球入口(79)に連通して上下方向に延在する第１通路(78a)と、この第１通路(78a)および該ステージ部(65)の前面に開口する球出口(80)に連通して前後方向に延在する第２通路(78b)とからなる球通路(78)が設けられ、
前記ステージ部(65)の転動面(62a)には、遊技球を前記球入口(79)に誘導する案内溝(68a)が設けられ、
前記第１通路(78a)の前壁には、上下方向に延在する縦リブ(71)が設けられ、該縦リブ(71)の後端と第１通路(78a)の後壁との間および該縦リブ(71)の下端と前記第２通路(78b)の底部との間が、遊技球１個分の通過を許容する寸法に設定されることを要旨とする。
請求項３に係る発明によれば、ステージ部材の球通路において、第１通路から第２球通路へ屈曲する部位での球詰まりを防止することができる。また縦リブは、球通路の球出口および第２通路を介して遊技者から直接視認することができず、ステージ部材の意匠性を損なわない。
【００１０】
請求項４に係る発明では、前記第２通路(78b)の底部は、遊技球の直径より小さい寸法で左右に対向した一対の斜面(76a,76a)を備え、該一対の斜面(76a,76a)により第２通路(78b)を流通する遊技球を左右から２点で支持するよう構成され、
前記球通路(78)の球出口(80)に重なる前記前飾り部材(82)の球開口(83)は、底部が前記第２通路(78b)の底部と整合する形状に形成されることを要旨とする。
請求項４に係る発明によれば、球通路における第２通路を流通する遊技球の左右への揺れを抑えることができ、球通路の球出口から放出される遊技球を意図した動きにし得る。
【００１１】
請求項５に係る発明では、前記ステージ部材(64)は、
上面に設けられた前記転動面(62a)、前面に設けられた前記第２位置決め孔(69a)および後面に設けられた突片(70a)を備えた前部材(67)と、
一側部に前記ワープルート部(66)の下端が接続されると共に、前記転動面(62a)の後方に立ち上がる後壁(73)および前記突片(70a)が挿入される挿入孔(73a)を備え、前記前部材(67)の後側に取り付けられる後部材(72)とから構成され、
前記第１通路(78a)の前壁は前記前部材(67)で形成され、前記縦リブ(71)が該前部材(67)の後面に設けられることを要旨とする。
請求項５に係る発明によれば、ステージ部材が前部材と後部材とを組み合わせて構成されるが、前部材の突片を後部材の挿入孔に挿入して位置合わせすることで、互いに精度よく組み付けることができる。
【００１２】
請求項６に係る発明では、前記ワープルート部(66)は、前記図柄表示装置(30)の図柄表示領域(R)の外側方に配置され、
該ワープルート部(66)は、該図柄表示領域(R)から離間する外側方に遊技領域(40a)から取り込んだ遊技球を誘導する第１傾斜路(63b)と該図柄表示領域(R)に向かう内側方へ遊技球を誘導する第２傾斜路(63c)とを有する前記ワープルート(63)を、前記透明板(41)の後側に形成する折れ曲がり形状とされることを要旨とする。
請求項６に係る発明によれば、ワープルート部を折れ曲がり形状とすることで、ワープルートを流下する遊技球のスピードを抑えることができる。また、ワープルート部を図柄表示領域の外側方に配置することで、ワープルートを流下する遊技球が図柄表示領域で行なわれる図柄変動ゲームの邪魔にならない。
【００１３】
請求項７に係る発明では、前記図柄表示装置(30)における図柄表示領域(R)の上側および側方に延在させて前記透明板(41)の前面に設けられた庇状部材(88)の側部下側に、前記ワープルート(63)の導入口(91a)が設けられ、該透明板(41)に貫通形成されて前記第１傾斜路(78a)の上端に連通する導入開口(50)に整合する規制片(93)が、該導入口(91a)の後面に設けられることを要旨とする。
請求項７に係る発明によれば、ワープルートの導入口を設けた庇状部材が、規制片が導入開口に整合することで位置決めされるので、簡単にワープルートに対して精度よく庇部材を取り付けることができる。
【発明の効果】
【００１４】
本発明に係る遊技機によれば、透明板に対して前飾り部材およびステージ部材を、簡単に精度よく取り付けることができる。
【発明を実施するための最良の形態】
【００１５】
次に、本発明に係る遊技機につき、好適な実施例を挙げて、添付図面を参照して以下に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を正面側(遊技者側)から見た状態で指称する。
【実施例】
【００１６】
(パチンコ機について)
実施例に係るパチンコ機１０は、図１に示すように、矩形枠状に形成されて遊技店の図示しない設置枠台に設置される矩形枠状の外枠１１の開口前面側に、遊技盤４０を着脱可能に保持する中枠１２が開閉および着脱可能に組み付けられている。またパチンコ機１０は、遊技盤４０の裏側に対して、各種図柄を変動表示可能な図柄表示装置３０が着脱し得るよう構成される(図３,４,８,９参照)。中枠１２の前面側には、遊技盤４０を透視保護するガラス板１３ａを備えた前枠１３が開閉可能に組み付けられると共に、該前枠１３の下方にパチンコ球を貯留する下球受け皿１４が開閉可能に組み付けられる。なお、実施例では、前枠１３の下部位置に、パチンコ球を貯留する上球受け皿１５が一体的に組み付けられており、前枠１３の開閉に合わせて上球受け皿１５も一体的に開閉するよう構成される。
【００１７】
(中枠について)
図２に示すように、前記中枠１２は、上縁をなす上枠部材２０と、下縁をなし、スピーカ１６や打球発射装置１７、操作ハンドル１８等が設置された下枠部材２１と、左側縁をなす左枠部材２２と、右側縁をなす右枠部材２３とから構成されている。中枠１２は、上下左右の枠部材２０,２１,２２,２３を組み付けた際に、全体が外枠１１の開口に整合する矩形枠状に形成される。そして、中枠１２において、上下左右の枠部材２０,２１,２２,２３で囲われる前後に貫通する開口部分が、遊技盤４０を設置する遊技盤保持部２４として機能するよう構成されている。ここで、中枠１２は、図３に示すように、外枠１１の左上端部および左下端部に設けられた支軸１１ａ,１１ａを介して左側端部が回転可能に枢支されて、該支軸１１ａ,１１ａを中心として中枠１２を回転させることで、該外枠１１に対して中枠１２を開閉し得るようになっている。
【００１８】
前記中枠１２には、左枠部材２２の開口内側(遊技盤保持部２４側)における上下に離間する位置に、遊技盤４０の左側端部を回転および着脱可能に保持する回転保持具２５ａ,２５ａが複数(実施例では２個であるが、１個あるいは３個以上であってもよい)設けられる(図３参照)。また中枠１２には、上下の枠部材２０,２１における右端部(右枠部材２３側)に、遊技盤４０の右側上下端部を固定する固定具２５ｂが夫々設けられている(図２参照)。すなわち、遊技盤４０を中枠１２に配設するには、図３に示すように、遊技盤保持部２４に斜めに遊技盤４０を臨ませて、該遊技盤４０の左側端部を回転保持具２５ａ,２５ａで保持した状態で、遊技盤４０の右側端部を押し込んで遊技盤４０の左側端部(回転保持具２５ａ,２５ａ)を中心に回動させて遊技盤４０の全体を遊技盤保持部２４に臨ませて、固定具２５ｂで遊技盤４０の右側上下端部を支持固定する。このように、実施例に係る遊技盤４０は、中枠１２と同様に、左側端部が回転中心となるよう支持される。なお、以下の説明において、パチンコ機１０(遊技盤４０)における左側を枢支端側と指称し、右側を開放端側と指称することもある。
【００１９】
図２に示すように、前記上枠部材２０の裏側には、設置枠台等に設けられた外部球供給設備から供給されるパチンコ球を貯留する球タンク２６が、該上枠部材２０の左右幅の略全幅に亘って設けられている。この球タンク２６は、図１０または図１１に示すように、遊技盤保持部２４に配設された遊技盤４０の上部位置と前後に重なるよう構成されて、遊技盤４０の上下寸法を最大限大きくし得るようになっている。ここで、球タンク２６は、外部球供給設備から供給されるパチンコ球を貯留するタンク本体２６ａと、該タンク本体２６ａの左後端部側(図４では右側)に位置して、該タンク本体２６ａに貯留したパチンコ球を一列に整列する球整流部２６ｂとが設けられている。すなわち、球タンク２６と遊技盤４０との関係では、球整流部２６ｂの形成位置においては球タンク２６(球整流部２６ｂ)と遊技盤４０との間に間隙が形成されるようになっている。
【００２０】
前記下枠部材２１の裏側には、前記上下の球受け皿１４,１５に連通する球供給路および設置枠台に設けた球回収樋に連通する球排出路(何れも図示せず)が夫々形成されたセット部材２７が配設されている。球タンク２６とセット部材２７とは、各部材２６,２７における左枠部材２２側の端部間に架設された球通路ユニット２８を介して連通接続されており、該球通路ユニット２８に配設された球払出し装置２８ａの駆動により球タンク２６に供給されたパチンコ球を上下の球受け皿１４,１５へ給出するよう構成されている。また、セット部材２７には、図４に示すように、パチンコ機１０の電源制御を行なう電源装置２０１、球通路ユニット２８に配設した球払出し装置２８ａを駆動制御する払出し制御装置２０２、打球発射装置１７を駆動制御する発射制御装置２０３、外部端末に接続されるインターフェース基板２０４等が配設されている。なお、これらの各装置２０１,２０２,２０３,２０４は、遊技盤４０の裏側に配設される主制御装置２００に配線接続され、該主制御装置２００からの制御信号に基づいて所定の制御を実行するようになっている。
【００２１】
(図柄表示装置について)
次に、前記遊技盤４０に配設される図柄表示装置３０の構成につき説明する。図５(ｂ)に示すように、実施例に係る図柄表示装置３０は、各種図柄を表示可能な液晶パネル３１が収容ケース３２に収容されたユニット部材である。図柄表示装置３０は、収容ケース３２の後面に、液晶パネル３１に表示される表示を制御する表示制御装置２０５や液晶パネル３１のバックライトを制御するインバータ装置２０６が配設される(図５(ａ)参照)。収容ケース３２は、前方へ開口する矩形箱状に形成され、内部に収容した液晶パネル３１の背面および外周を囲繞するようになっている。また、表示制御装置２０５およびインバータ装置２０６の背面側には、後述する各発光装置１００,１０２,１０４を発光制御する統括制御装置２０７が前後に重なるよう配設されており(図４参照)、該統括制御装置２０７の制御信号に基づいて、表示制御装置２０５が所定の制御を実行すると共に、各発光装置１００,１０２,１０４が発光するようになっている。なお、統括制御装置２０７も主制御装置２００に配線接続され、該主制御装置２００からの制御信号に基づいて制御を実行するよう設定される。
【００２２】
前記収容ケース３２には、図５(ａ)に示すように、遊技盤４０の枢支端側に位置する左面の前端に、左側方へ突出する板状の係止突部３４,３４が上下に離間する２箇所に設けられている。これらの係止突部３４,３４は、遊技盤４０の裏側に設けられる差込み受部５８,５８と係脱可能に係合するようになっている(図９参照)。また、収容ケース３２における液晶パネル３１と対向する後面には、遊技盤４０の開放端側に位置する右側面の上下端部に、後方へ突出する支持部３５が夫々形成されており、遊技盤４０の裏側に設けたロック部材１１４ａ,１１４ｂが対応の支持部３５に対して係脱可能に係合するようになっている(図８または図９参照)。
【００２３】
(遊技盤について)
前記遊技盤４０は、図６または図７に示すように、中枠１２の遊技盤保持部２４に整合する略正方形に形成されたアクリルやポリカーボネート等の光透過性の合成樹脂材からなる平板状の透明板４１と、該透明板４１の後面に組み付けられて図柄表示装置３０が着脱可能に配設される裏ユニット５１とから構成される。裏ユニット５１には、前後に開口する可視表示部５２が形成され(図１２または図１３)、この可視表示部５２を介して図柄表示装置３０の表示面を前面側から視認し得るようになっている。ここで、実施例の裏ユニット５１に形成される可視表示部５２は、該裏ユニット５１の上下および左右幅の大部分が開口する大型の開口部である。なお、実施例の透明板４１は、アクリル板により形成されている。また図６には、透明板４１に位置する裏ユニット５１を破線で示してある。
【００２４】
(透明板について) 
図６に示すように、前記透明板４１の前面には、略円形状に湾曲形成したレール４２が配設されて、該レール４２によりパチンコ球が流下可能な遊技領域４０ａが画成され、打球発射装置１７から発射されたパチンコ球が遊技領域４０ａ内に打ち出されるようになっている。また、透明板４１の下方位置には、遊技領域４０ａを流下するパチンコ球が入賞可能な始動入賞装置４３や特別入賞装置４４が、夫々の入賞口４３ａ,４４ａを遊技領域４０ａに臨ませて配設されている。パチンコ機１０では、始動入賞装置４３の始動入賞口４３ａにパチンコ球が入賞することで、図柄表示装置３０において図柄変動ゲームが展開され、該図柄変動ゲームの結果、図柄表示装置３０に所定の図柄組合わせで図柄が停止表示されると、特別入賞装置４４の特別入賞口４４ａが開放して所謂大当りが発生し、多数の賞球を獲得し得るよう構成されている。
【００２５】
前記透明板４１には、遊技領域４０ａから取り込んだパチンコ球を左右方向に転動させる転動面６２ａを備え、この転動面６２ａから下方に位置する始動入賞口４３ａにパチンコ球を誘導するステージ６２が設けられている(図６参照)。また透明板４１の後面には、遊技領域４０ａから取り込んだパチンコ球をステージ６２の転動面６２ａに案内するワープルート６３が設けられている。透明板４１の前面には、図柄表示装置３０において主に図柄変動ゲームが展開される図柄表示領域Ｒを囲む庇状部材８８が配設されており(図６参照)、遊技領域４０ａに打ち出されたパチンコ球が図柄表示装置３０における図柄変動ゲームが展開される図柄表示領域Ｒを横切って流下しないようになっている。なお、遊技領域４０ａには、庇状部材８８の外側位置に多数の遊技釘４７が植設されると共に、レール４２の外側に、複数のコーナー飾り部材４８が配設されている。なお、透明板４１における庇状部材８８より左方位置には、パチンコ球を検出する球検出センサ(図示せず)を備えた球通過ゲート４５が設けられている。なお、球通過ゲート４５をパチンコ球が通過することで、透明板４１に設けられた普通図柄表示装置４６(図６参照)の普通図柄が変動開始するよう設定されている。
【００２６】
(裏ユニットについて)
前記裏ユニット５１は、図７または図９に示すように、透視不能な合成樹脂材(例えばＡＢＳ樹脂)から、外郭形状が透明板４１と略整合する大きさおよび形状に形成され、該裏ユニット５１の略中央位置に可視表示部５２が開設された枠状に形成されている。ここで、可視表示部５２は、上下の縁部が略水平に延在すると共に、左右側縁が開口外側へ向けて弧状に膨出する略小判状に開口するようになっている(図１２または図１３参照)。なお、以下の説明では、裏ユニット５１において、可視表示部５２より上側の部位を上枠部５３と指称し、該可視表示部５２より下側の部位を下枠部５４と指称する。また、裏ユニット５１において、可視表示部５２の上下縁部の間(すなわち上下の枠部５３,５４の間)であって枢支端側(左端側)の枠部分を枢支端側枠部５５と指称し、可視表示部５２の上下縁部の間(すなわち上下の枠部５３,５４の間)であって開放端側(右端側)の枠部分を開放端側枠部５６と指称するものとする。
【００２７】
図９に示すように、前記裏ユニット５１には、図柄表示装置３０の前面に当接して前方移動を規制する前側位置規制部(具体的には、発光装置１００,１０２,１０４の基板カバー１００ａ,１０２ａ,１０４ａ)と、図柄表示装置３０の後面に当接して後方移動を規制する後側位置規制部(具体的には、ロック部材１１４ａ,１１４ｂ)と、図柄表示装置３０の上面に当接して上方移動を規制する上側位置規制部(具体的には台座部材１１２)と、図柄表示装置３０の下面に当接して下方移動を規制する下側位置規制部(具体的には設置部材５９)と、図柄表示装置３０の左右の側面に当接して側方移動を規制する側部位置規制部(具体的には規制壁１０８,１１０)とからなる位置規制手段が設けられている。すなわち、係止突部３４を差込み受部５８に挿入したもとで、各位置規制部５９,１００ａ,１０２ａ,１０４ａ,１０２,１０８,１１２,１１４ａ,１１４ｂにより図柄表示装置３０が前後、左右および上下に移動するのを規制することで、図柄表示装置３０が所定の設置領域Ｓに保持されるようになっている(図１３参照)。ここで、設置領域Ｓは、図柄表示装置３０を裏ユニット５１に取り付けた際に、裏ユニット５１において図柄表示装置３０が占有する領域である。そして、設置領域Ｓに図柄表示装置３０を保持することで、可視表示部５２の開口域全体が図柄表示装置３０の表示面で閉成されるようになっている。
【００２８】
(上枠部)
図１２に示すように、前記裏ユニット５１における上枠部５３の前面には、文字装飾部６０が設けられると共に、この文字装飾部６０の左右両側部に第１可動演出装置１２０,１２０が配設され、これらの第１可動演出装置１２０,１２０に設けた第１可動体(可動体)１２８,１２８が文字装飾部６０の両脇に配置されている。なお文字装飾部６０は、光透過性および光拡散性を有する複数のレンズにより、文字を表わしたものである。そして、上枠部５３において各文字装飾部６０と前後に対応する位置には、前後に開口する装飾開口(図示せず)が開設されて、該装飾開口を介して各文字装飾部６０の後方から第１発光装置１０２のＬＥＤが臨むようになっている(図１１参照)。
【００２９】
(枢支端側枠部について)
前記裏ユニット５１の枢支端側枠部５５には、図９または図１３に示すように、上下に離間する２箇所に、図柄表示装置３０に形成した前記係止突部３４,３４を挿脱可能な差込み受部５８,５８が後方へ突出するよう形成されている。ここで、各差込み受部５８は、図柄表示装置３０が当接する前側位置規制部(基板カバー１００ａ,１０２ａ,１０４ａ)より後方へ突出するよう形成されると共に、可視表示部５２側に開口するよう差込み口５８ａが開設され、可視表示部５２から遊技盤４０の枢支端側へ図柄表示装置３０を移動して係止突部３４を該差込み受部５８の差込み口５８ａに挿入するようになっている。
【００３０】
(下枠部について)
図１２または図１３に示すように、前記裏ユニット５１における下枠部５４の中央部には、透明板４１に配設された始動入賞装置４３および特別入賞装置４４の後方が挿通する下枠部開口５４ａが前後に開口するよう形成されて、該下枠部開口５４ａに挿通させた始動入賞装置４３の左右両側に位置するよう第２可動演出装置１５０,１５０が配設されている。また下枠部５４の裏側には、前方に開口する横長矩形箱状に形成された設置部材５９が配設されており(図１４参照)、該設置部材５９の内部に始動入賞装置４３、特別入賞装置４４および第２可動演出装置１５０,１５０が収容されている(図８,図９,図１０または図１１参照)。なお、設置部材５９は、前側位置規制部(基板カバー１００ａ,１０２ａ,１０４ａ)より後方に突出するよう構成されている。そして、設置部材５９の上面(具体的には設置部材５９の上壁５９ａに設置した支持片３６)で図柄表示装置３０の下面を支持するようになっている(図１０または図１１参照)。すなわち、設置部材５９の上面が図柄表示装置３０を支持する支持面として機能している。
【００３１】
図７に示すように、前記設置部材５９の中央部後面には、中継基板(別の基板)１０６が設置されて、中継基板１０６に対して、パチンコ機１０、遊技盤４０あるいは図柄表示装置３０の裏側に配置された各種制御装置２０１,２０２,２０３,２０４,２０５,２０６,２０７や各発光装置１００,１０２,１０４、その他の各種の電気部品が配線で接続されている。また、設置部材５９の裏側には、主制御装置２００を着脱可能に設置する主基板ベース(図示せず)が配設されて、図４に示すように該主基板ベースに配設された主制御装置２００も、中継基板１０６に配線で接続される。
【００３２】
図９または図１４に示すように、設置部材５９の上壁５９ａには、図柄表示装置３０の下面を位置規制する支持片３６が配設されている。この支持片３６は、可視表示部５２の下側に左右に延在する長尺な断面Ｌ字状の金属製の部材であって、大型の図柄表示装置３０の荷重を支持するために高い剛性を有している。支持片３６は、裏ユニット５１の下枠部５４に固定され、可視表示部５２の下端部に沿って左右方向に延在する第１片部３６ａと、該第１片部３６ａの下端部から後方へ屈曲形成されて、設置部材５９の上壁５９ａに当接支持される第２片部３６ｂとから構成される。
【００３３】
前記裏ユニット５１の前側には、図６に示すように、枢支端側枠部５５、上枠部５３および開放端側枠部５６の夫々に亘って環状に延在する円環状装飾部６１が設けられている。この円環状装飾部６１は、光透過性および光拡散性を有する複数のレンズを周方向に所定間隔離間して配置し、各レンズの間を装飾カバーで覆うよう構成される。そして、円環状装飾部６１は、可視表示部５２の左右側縁に沿って延在すると共に、該円環状装飾部６１の内側に、文字装飾部６０、第１可動演出装置１２０,１２０の第１可動体１２８,１２８および第２可動演出装置１５０,１５０の第２可動体１５２,１５２の夫々が配置されている。また、円環状装飾部６１は、透明板４１に形成される略円形の遊技領域４０ａの内側において、該遊技領域４０ａの周縁に沿うよう設けられており、裏ユニット５１を透明板４１に組み付けた際に、該透明板４１を介して文字装飾部６０、第１可動演出装置１２０,１２０の第１可動体１２８,１２８および第２可動演出装置１５０,１５０の第２可動体１５２,１５２、円環状装飾部６１および可視表示部５２の臨む図柄表示装置３０の夫々を前側から視認されるようになっている。なお、裏ユニット５１の枢支端側枠部５５および開放端側枠部５６においてレンズと前後に対応する位置には、前後に開口する通孔(図示せず)が開設されており、該通孔を介して各レンズの後方からＬＥＤが臨むようになっている。
【００３４】
(発光装置について)
図９または１３に示すように、前記上枠部５３の裏側には、文字装飾部６０を発光させる第１発光装置１００が配設され、枢支端側枠部５５の裏側には、該枢支端側枠部５５側に位置する円環状装飾部６１を発光させる第２発光装置１０２が配設され、前記開放端側枠部５６の裏側には、該開放端側枠部５６側に位置する円環状装飾部６１を発光させる第３発光装置１０４が配設されて、該第１〜第３の発光装置１００,１０２,１０４の後方に図柄表示装置３０が配置されている。なお、円環状装飾部６１において上枠部５３に位置する部分は、該上枠部５３の前側に配設された発光装置(図示せず)により発光されるようになっている。
【００３５】
前記第１発光装置１００は、裏ユニット５１の上枠部５３の裏側に配置され、表面に複数のＬＥＤが実装され、前記第１可動演出装置１２０,１２０の間に位置する第１ＬＥＤ基板１０１と、該第１ＬＥＤ基板１０１の裏側を覆う第１基板カバー１００ａとから構成されており、上枠部５３における文字装飾部６０と対応する位置に開設した装飾開口を介して、各ＬＥＤが文字装飾部６０の裏側に対向するようになっている。図１３に示すように、第１ＬＥＤ基板１０１の裏面には、上縁部に沿って複数の第１ソケット１０１ａが設けられ、第１基板カバー１００ａの開口を介して設置領域Ｓの外上方において裏側に露出している。ここで、裏ユニット５１の枢支端側には、該枢支端側から順に、枢支端側の第１可動演出装置１２０の第１可動体１２８に内蔵された第１発光手段(発光手段)１３１からの第１配線(配線)１４２(図２１または図２４参照)が接続される第１ソケット１０１ａ、および該第１可動演出装置１２０の駆動手段としてのソレノイド１３４からの配線が接続される第１ソケット１０１ａの２つ配置されている。一方、裏ユニット５１の開放端側には、該開放端側から順に、開放端側の第１可動演出装置１２０の第１可動体１２８に内蔵された第１発光手段１３１からの第１配線１４２が接続される第１ソケット１０１ａ、第２発光装置１０２からの配線が接続される中継接続用の第１ソケット１０１ａ、および該第１可動演出装置１２０のソレノイド１３４からの配線が接続される第１ソケット１０１ａの３つが配置されている。なお、第１ＬＥＤ基板１０１上に配設される複数の第１ソケット１０１ａは、同一水平線上に位置するよう配置されている。また、第１ＬＥＤ基板１０１を上枠部５３に配設した状態で、各第１ソケット１０１ａは図柄表示装置３０の設置領域Ｓの上外方(図柄表示装置３０と球タンク２６の底面との間)に位置している。
【００３６】
前記パチンコ機１０では、第１発光装置１００および第２発光装置１０２に設けた対応のソケット同士を配線接続すると共に、第２発光装置１０２および中継基板１０６に設けた対応のソケット同士を配線接続することで、第１発光装置１００のＬＥＤ、第２発光装置１０２のＬＥＤ、第１可動演出装置１２０の第１発光手段１３１およびソレノイド１３４、前記上枠部５３に設けた円環状装飾部６１のレンズに対応するＬＥＤの夫々が、統括制御装置２０７に対して電気的に接続される。
【００３７】
(台座部材について)
図１３に示すように、前記裏ユニット５１の上枠部５３には、開放端側の第１可動演出装置１２０のソレノイド１３４よりも開放端側に、図柄表示装置３０の上方移動を規制する前記上側位置規制部としての台座部材１１２が配設されている。台座部材１１２の後端面、および前記設置部材５９における開放端側の後端面には、図柄表示装置３０の後面に当接して後方移動を規制する後側位置規制部としてのロック部材１１４ａ,１１４ｂが配設されている。なお、台座部材１１２の後端面に配設される上ロック部材１１４ａと、設置部材５９の後端面に配設される下ロック部材１１４ｂとは基本的な構成が同一である。
【００３８】
前記上ロック部材１１４ａは、一端部が台座部材１１２の後端面に軸を介して枢支されたレバー状の部材であって、該軸から下方に突出して図柄表示装置３０の後面に当接係止可能な係止位置と(図８参照)、該台座部材１１２の後端面上で軸から開放端部側に延在して該図柄表示装置３０との係止状態が解除された解除位置(図９参照)の夫々回転変位させるようになっている。また、下ロック部材１１４ｂも同様に、一端部が設置部材５９の後端面に軸を介して枢支されたレバー状の部材であって、該軸から上方に突出して図柄表示装置３０の後面に当接係止可能な係止位置と(図８参照)、該設置部材５９上で軸から左右方向に延在して該図柄表示装置３０との係止状態が解除される解除位置(図９参照)の夫々回転変位させるよう構成される。すなわち、上ロック部材１１４ａは、係止位置に変位することで図柄表示装置３０の上端部に設けられた支持部３５に当接し、下ロック部材１１４ｂは、係止位置に変位することで図柄表示装置３０の下端部に設けられた支持部３５に当接するようになっている。
【００３９】
(ステージについて) 
次に、遊技盤４０に設けられたステージ６２およびワープルート６３について、主に図１５〜図２０を参照して説明する。図２０に示すように、ステージ６２およびワープルート６３は、図柄表示装置３０の前側に位置して、透明板４１の前面にある遊技領域４０ａの後側に設けられ、透明板４１および図柄表示装置３０間の奥行き方向のスペースを、パチンコ球を流下させる経路として利用するものである。
【００４０】
図１５または図１６に示すように、ステージ６２は、本体部分を構成し、透明板４１の後側から取り付けられるステージ部材６４と、このステージ部材６４における透明板４１に開設されたステージ開口部(開口部)４９から前側に臨む部分およびステージ開口部４９の一部を透明板４１の前側から覆う前飾り部材８２とから構成される。なお、ステージ部材６４および前飾り部材８２は、透明な合成樹脂材料から形成され、前飾り部材８２の一部(取り付け用のビスの周辺)を除いて基本的に透明である。図１８に示すように、ステージ部材６４は、転動面６２ａが設けられるステージ部６５と、このステージ部６５に設けられ、透明板４１の後側にワープルート６３を形成するワープルート部６６とを備えている。
【００４１】
図１５および図１６に示すように、前記ステージ開口部４９は、左右横長に形成されて、透明板４１における始動入賞口４３ａの上側で、図柄表示装置３０による図柄表示領域Ｒの下側に位置して、透明板４１を前後に貫通して設けられる。またステージ開口部４９は、開口上縁４９ａが水平に延在し、開口側縁４９ｂが円弧状で、開口下縁の両側部４９ｃ,４９ｃが開口側縁４９ｂから中央に向かうにつれて下方傾斜する共に、開口下縁の中央部４９ｄが左右に水平に延在するよう形成される。更にステージ開口部４９には、ステージ部材６４の球通路７８部分と整合する通路切欠４９ｅが、開口下縁の中央部４９ｄから下方に切り欠いて設けられている。更にまた透明板４１には、図柄表示領域Ｒの外側方で、ワープルート部６６の上端に整合する位置に、遊技領域４０ａからワープルート６３にパチンコ球を導く導入開口５０が設けられている。
【００４２】
図１５,図１６または図１８に示すように、前記ステージ部材６４は、パチンコ球を左右に転動させる転動面６２ａを上面に設けた前部材６７と、この前部材６７との間に転動面６２ａから始動入賞口４３ａへパチンコ球を誘導する球通路７８を画成し、前部材６７の後側に取り付けられる後部材７２とから構成される。後部材７２は、後壁部(後壁)７３と、この後壁部７３の下端に前側に突出形成された下壁部７５と、該後部材７２の左側部(一側部)に一体的に形成され、透明板４１の後面との間に遊技領域４０ａから取り込んだパチンコ球を転動面６２ａに案内するワープルート６３を透明板４１の後側に形成するワープルート部６６とを備えている(図１８参照)。また後部材７２は、ワープルート部６６と反対側に、後壁部７３および下壁部７５に接続する側壁部７７が設けられている。後部材７２は、後壁部７３から後方に膨出形成され、球通路７８における上下に延在する第１通路７８ａの側壁および後壁を構成する上凹部７４と、下壁部７５から下方に膨出して形成され、球通路７８における前後に延在する第２通路７８ｂの側壁および底部を構成する下凹部７６とが設けられている(図１９参照)。ここで、下凹部７６は、下壁部７５の前端から前側に突出するよう形成される(図１５参照)。そして、ステージ部材６４は、透明板４１に対して後側から取り付けた際に、ワープルート部６６における側壁部分６６ａ,６６ａの前面、下壁部７５前面および側壁部７７前面が透明板４１の後面に当接すると共に、下凹部７６の突出した前部がステージ開口部４９の通路切欠４９ｅに整合するようになっている。
【００４３】
図１５に示すように、前記後部材７２の後壁部７３には、複数(実施例では４箇所)の挿入孔７３ａが、ワープルート部６６、側壁部７７および下壁部７５で囲まれる部分の内側で、下壁部７５近傍に左右に離間して設けられている。実施例の挿入孔７３ａは、後壁部７３の側縁に夫々設けられると共に、上凹部７４を挟んで該上凹部７４の両脇に夫々設けられている。なお、ワープルート部６６における側壁部分６６ａ,６６ａの前面、下壁部７５前面および側壁部７７前面には、適宜位置にフランジおよび取付片が設けられ、取付片に開設された通孔を介して透明板４１のネジ孔にビスを螺合することで、ステージ部材６４が透明板４１に固定される。また後部材の取付片には、前側に突出形成された取付ピン６４ａが設けられ、ステージ部材６４の透明板４１への取り付けに際して、透明板４１に設けた取付ピン孔４１ｂに取付ピン６４ａを挿入することで、透明板４１に対してステージ部材６４が位置合わせされる。
【００４４】
前記前部材６７は、上面が転動面６２ａとなる天井片６８の下面前後縁から下方に延出する前片６９と後片７０とを有する側断面視コ字状を基本形状とする部材であって、後部材７２の下壁部７５に載置すると共に後片７０を後壁部７３前面に当接させて、該後部材７２と組み付けられる(図１９参照)。転動面６２ａは、中央部が盛り上がると共に、左右の側部が側端から中央部に向かうにつれて下方傾斜するよう形成され、中央部の盛り上がり部分の傾斜径端と側部の傾斜下端との接続部分が転動面における底となっている(図１８参照)。転動面６２ａの中央には、球通路７８の球入口７９にパチンコ球を誘導する案内溝６８ａが設けられている(図１５参照)。案内溝６８ａは、前から後側に向けて下方傾斜するよう天井片６８を凹ませて形成され、案内溝６８ａの後端が球入口７９に連絡している。前部材６７は、前片６９における左右の側部が後側に向けて夫々凹設されて(図１５または図１８参照)、ステージ部材６４を透明板４１に取り付けた際に、ステージ開口部４９の開口下縁の両側部４９ｃ,４９ｃとの間に、前飾り部材８２の位置決め片８６,８６が挿入される挿入凹部６７ａ,６７ａが左右に離間して形成されるようになっている。
【００４５】
図１６に示すように、前記前部材６７の後片７０には、後部材７２の前記挿入孔７３ａに挿入される突片７０ａが、左右に離間して複数(実施例では４箇所)設けられている。すなわち、突片７０ａは、後片７０において前記挿入孔７３ａに夫々整合する位置に後方へ突出形成される。また、前部材６７の前片６９には、前飾り部材８２の第２位置決めピン８５,８５が挿入される第２位置決め孔６９ａ,６９ａが、左右に離間して複数(実施例では２箇所)設けられている(図１５参照)。前部材６７における後片７０の中央には、下方に突出する突出部７０ｂが設けられ、この突出部７０ｂが前部材６７を後部材７２に取り付けた際に、下凹部７６に整合するようになっている(図１８参照)。
【００４６】
前記ステージ部材６４において、前部材６７を後部材７２の下壁部７５に載置して組み付けることで、前部材６７と後部材７２とからステージ部６５が構成される(図１８参照)。なお、ステージ部６５は、ステージ部材６４においてワープルート６３を形成するワープルート部６６を除いた部分を指し、実施例のステージ部６５は、パチンコ球の転動面６２ａと、この転動面６２ａから始動入賞口４３ａにパチンコ球を誘導する球通路７８とを備えている。前部材６７は、突片７０ａを後部材７２の対応する挿入孔７３ａに夫々挿入することで、後部材７２に対して位置決めされ、ビスを挿入凹部６７ａに設けた通孔を介して後部材のフランジに設けたネジ孔に螺合して互いに固定される。そして、前部材６７と後部材７２とを組み付けることで、転動面６２ａの左側端がワープルート６３の導出口６３ａに連絡すると共に、転動面６２ａの後側に後部材７２の後壁部７３が立ち上がって転動面６２ａを左右方向に転動するパチンコ球の後方への落下を防止するよう構成される(図１９または図２０参照)。また、前部材６７と後部材７２とを組み付けることで、前部材６７の後片７０と後部材７２の上凹部７４との間に球通路７８における第１通路７８ａが画成されて、第１通路７８ａの球入口７９が案内溝６８ａの後端に整合すると共に、前部材６７の下側に下凹部７６により球通路７８における第２通路７８ｂが画成される。この際、前部材６７の後片７０が、該第１通路７８ａの前壁を構成している。
【００４７】
このように、ステージ部６５は、前部材６７と後部材７２との２つの部材を組み付けて構成されるが、前部材６７の突片７０ａを後部材７２の挿入孔７３ａに挿入して互いに位置決めされているので、組み付けに際して位置合わせを行ない易く、互いの組み付け位置がずれ難い。ステージ部６５では、前部材６７と後部材７２との２つの部材を組み付けて、球通路７８の第１通路７８ａが画成されると共にワープルート６３の導出口６３ａが転動面６２ａと連絡する構成であるが、前部材６７と後部材７２とが位置ずれし難いので、組み付け誤差による球詰まりやパチンコ球の意図しない動作等を防止できる。また、ワープルート部６６は、後部材７２に一体形成されているので、ワープルート部６６をステージ部６５に取り付けることに起因する取り付け誤差は生じない。
【００４８】
前記ワープルート部６６は、パチンコ球１個毎の通過を許容する間隔をあけて対向する一対の側壁部分６６ａ,６６ａと、対向する側壁部分６６ａ,６６ａの後部間に設けられた後壁部分６６ｂとから構成され、下端が後壁部７３に接続されている(図１８参照)。なお、ワープルート部６６の右側壁部分６６ａの下端が切り欠かれ、ワープルート６３から転動面６２ａに繋がる導出口６３ａが設けられる。またワープルート部６６は、ステージ部材６４を透明板４１を取り付けた際に、上端が前記導入開口５０を後側から覆うと共に、図柄表示領域Ｒの外側方(実施例では左側方)に位置するよう構成されている。ここで、図６に示すように、ワープルート部６６は、遊技領域４０ａから取り込んだパチンコ球を図柄表示領域Ｒから離間する外側方(実施例では左側方)に誘導する第１傾斜路６３ｂと、図柄表示領域Ｒに向かう内側方(実施例では右側方)へパチンコ球を誘導する第２傾斜路６３ｃとを、前記ワープルート６３が有するように折れ曲がり形状とされる。
【００４９】
前記ワープルート６３は、傾斜方向が異なる傾斜路６３ｂ,６３ｃを組合わせて構成され、実施例では、第１傾斜路６３ｂが前記導入開口５０に整合する上端から取り込んだパチンコ球を左斜め下側に案内するよう設けられ、第２傾斜路６３ｃの上端が第１傾斜路６３ｂの下端に接続すると共に、該第２傾斜路６３ｃの下端が導出口６３ａに接続し、第２傾斜路６３ｃによりパチンコ球を右斜め下側に案内するよう構成される。すなわち、ワープルート部６６の上部は、対向する側壁部分６６ａ,６６ａが左下がりに傾斜するよう延在すると共に、該ワープルート部６６の下部は、対向する側壁部分６６ａ,６６ａが右下がりに傾斜するよう延在し、該ワープルート部６６が図柄表示領域Ｒに重ならないように配置される(図６参照)。
【００５０】
前記ステージ部材６４を透明板４１に取り付けることでワープルート部６６により透明板４１の後側に画成されるワープルート６３は、透明板４１を介して該ワープルート６３を流下するパチンコ球の動きを視認することができる。ここで、ワープルート６３は、図柄表示領域Ｒに重ならないように配置されているので、ワープルート６３を流下するパチンコ球が、図柄表示領域Ｒに表示される図柄変動ゲームの邪魔にならない。またワープルート部６６の上部は、図６に示すように、ワープルート６３における第１傾斜路６３ｂの脇に位置して図柄表示領域Ｒから離間する外側方を凸とする湾曲形状に並べて透明板４１に設けられた遊技釘４７の列に沿って、対向する側壁部分６６ａ,６６ａが図柄表示領域Ｒから離間する外側方を凸とする湾曲形状に形成される。これにより、ワープルート６３の脇に配設された遊技釘４７の列に案内されて遊技領域４０ａを流下するパチンコ球の動きと、第１傾斜路６３ｂに案内されて透明板４１の後面を流下して透明板４１を介して視認可能なパチンコ球の動きとが一致し、パチンコ球の動きに三次元的な奥行き感がもたらされるので、パチンコ球の動きのおもしろみを向上することができる。これに対して、ワープルート部６６の下部は、対向する側壁部分６６ａ,６６ａが図柄表示領域Ｒに向かう内側方を凸とする湾曲形状に形成される。
【００５１】
前記ワープルート６３は、遊技領域４０ａから第１傾斜路６３ｂに導入されたパチンコ球が、該第１傾斜路６３ｂの下端でワープルート部６６の側壁部分６６ａに衝突して第１傾斜路６３ｂから第２傾斜路６３ｃに案内方向が変化するので、単一の方向にのみ案内される通路と比べてパチンコ球の流下スピードを抑えることができる。また、ワープルート６３では、パチンコ球が左右に蛇行するので、ワープルート６３を流下するパチンコ球に変化を与えることができる。更に、ワープルート部６６は、ステージ部材６４の後部材７２に一体形成されているので、ステージ部材６４を透明板に取り付ける際に一体的に取扱いできると共に、転動面６２ａとの位置ずれもない。従来のワープルートでは、通路に突出する突起を設けて、この突起に通路を流下するパチンコ球を衝突させることで、パチンコ球のスピードを抑える構成があるが、実施例のパチンコ機１０では、透明板４１を介してワープルート６３を流下するパチンコ球が視認可能であるので、突起を設けると遊技者から突起が見えてしまい、見栄えが悪い。実施例では、ワープルート６３を形成するワープルート部６６自体を折り曲げ形状として、パチンコ球が流下する傾斜路６３ｂ,６３ｃに突起等の部材を設けていないので、見栄えの悪化を回避しつつ、パチンコ球のスピードを抑制できる。従って、パチンコ球は、スピードを落とした状態でワープルート６３から転動面６２ａに案内されるので、転動面６２ａを転動することなく転動面６２ａから遊技領域４０ａへ飛び出すことはなく、転動面６２ａにおいて意図した通りにパチンコ球を左右に転動させて、遊技者の期待感をあおることができる。
【００５２】
前記球通路７８は、転動面６２ａに開口する球入口７９に連通して上下方向に延在する第１通路７８ａと、この第１通路７８ａおよびステージ部６５の前面に開口する球出口８０に連通して前後方向に延在する第２通路７８ｂとから構成される(図１９参照)。第１通路７８ａの前壁をなす前部材６７における後片７０の中央には、上下方向に延在する縦リブ７１が設けられている(図１６参照)。縦リブ７１は、後片７０における突出部７０ｂの下端から該後片７０の上端まで上下に延在して後方へ向けて突出形成され、縦リブ７１の上端は、前から後に向かうにつれて下方傾斜するよう面取りされている(図１９参照)。縦リブ７１の後端と第１通路７８ａ(上凹部７４)の後壁との間は、パチンコ球１個毎の通過を許容する寸法となるように設定される。また縦リブ７１の下端と第２通路７８ｂ(下凹部７６)の底部におけるパチンコ球の支持部位との間は、パチンコ球１個毎の通過を許容する寸法となるように設定される。ここで、第１通路７８ａの後壁および第２通路７８ｂの底部が接続する角部と、縦リブ７１の下端後縁との間隔を、パチンコ球の直径より大きく、かつパチンコ球の直径の１．５倍以下に設定して、該角部と縦リブ７１の下端後縁との間に２個のパチンコ球が並ばないようにされる。
【００５３】
上下に延在する第１通路７８ａから前後に延在する第２通路７８ｂに移行する球通路７８の屈曲部分は、通路幅が広がってしまう部分であるので、当該屈曲部分の前壁に縦リブ７１を設けることで、屈曲部分の通路幅を狭くして、パチンコ球１個ずつの通過を許容するようにして、球詰まりを防止している。従来の球通路では、第１通路の後壁および第２通路の底部が接続する角部に三角形状リブを設けていた。このような三角形状リブでは、球出口を介して前側から直接見えてしまう不都合があると共に、第１通路から流下したパチンコ球を前側に勢いを付けて案内してしまい、第２通路を流通するパチンコ球のスピードが速くなるおそれがある。前記縦リブ７１は、第１通路７８ａの前壁に設けることで、球出口８０を介して前側から直接見えないので見栄えを損なわず、また前側に向けてパチンコ球に勢いを与えることがない。すなわち、球通路７８の球出口８０を介して前飾り部材８２の球開口８３から放出されるパチンコ球を、該球開口８３の下方に位置する始動入賞口４３ａに安定して導くことができ、遊技者の期待感を損なわない。
【００５４】
前記第２通路７８ｂを画成する下凹部７６の上部は、左右に対向する側面が遊技球１個毎の通過を許容する通路幅で形成される一方、該下凹部７６の底部は、上から下に向かうにつれて通路幅が狭くなる断面略Ｖ字状に形成されている(図１８参照)。ここで、第２通路７８ｂ(下凹部７６)の底部を構成して左右に対向する一対の斜面７６ａ,７６ａが、パチンコ球の直径より小さい寸法で離間するよう構成されている。すなわち、球通路７８の第２通路７８ｂを流通するパチンコ球は、一対の斜面７６ａ,７６ａにより左右から２点で支持されるので、パチンコ球の左右方向のぶれを抑制することができる。従って、球通路７８の球出口８０を介して前飾り部材８２の球開口８３から放出されるパチンコ球を、該球開口８３の下方に位置する始動入賞口４３ａに安定して導くことができ、遊技者の期待感を損なわない。
【００５５】
前記前飾り部材８２は、透明板４１の前側から取り付けられる板状の部材であって、ステージ開口部４９の下部および側部とステージ開口部４９の周縁下部および周縁側部とを覆うよう構成される(図６参照)。前飾り部材８２の上縁は、転動面６２ａの前記底に対応する部位に該底に整合する流下凹部８２ａが形成され、転動面６２ａにおける他の部分に対応する部位が該転動面６２ａより高くなるよう構成される(図１７参照)。なお、流下凹部８２ａは、下方に位置する始動入賞口４３ａを間にして左右に離間して形成され、転動面６２ａを転動するパチンコ球が該流下凹部８２ａから遊技領域４０ａに流下することが許容される。また前飾り部材８２には、前記球通路７８の球出口８０に重なる中央部に、前後に貫通する球開口８３が設けられている。球開口８３は、底部が第２通路７８ｂ(下凹部７６)の底部と整合する形状に形成されている(図１７参照)。
【００５６】
図１６に示すように、前記前飾り部材８２の後面には、該前飾り部材８２における透明板４１に面する位置に設けられ、該透明板４１に設けられた第１位置決め孔４１ａに挿入される第１位置決めピン８４と、前記ステージ開口部４９から前側に臨むステージ部６５に面する位置に設けられ、該ステージ部６５の前面に設けられた第２位置決め孔６９ａに挿入される第２位置決めピン８５とが形成されている。第１位置決めピン８４および第２位置決めピン８５は、後方へ突出して複数(実施例では夫々２箇所)設けられ、これらの位置決めピン８４,８５に対応して第１位置決め孔４１ａおよび第２位置決め孔６９ａが複数(実施例では夫々２箇所)設けられる(図１５参照)。２箇所の第１位置決めピン８４,８４は、前飾り部材８２の周縁部における透明板４１の前面に相対する部位に、左右に離間して設けられている。また、２箇所の第２位置決めピン８５,８５は、左右の第１位置決めピン８４,８４の間に位置して、第１ステージ開口部４９に相対する前飾り部材８２の後面に、球開口８３を挟んで左右に離間して設けられている。
【００５７】
前記前飾り部材８２の後面には、第１位置決めピン８４および第２位置決めピン８５より後方へ突出し、ステージ開口部４９の開口縁に沿わせて、透明板４１の板面に沿う方向の少なくとも一方への前飾り部材８２の移動を規制する位置決め片８６が複数(実施例では２箇所)設けられている。２箇所の位置決め片８６,８６は、前飾り部材８２の後面下部に左右に離間して設けられ、各位置決め片８６は、ステージ開口部４９の開口下縁における傾斜した左右側部４９ｃに夫々対応して配置される。各位置決め片８６は、対応するステージ開口部４９の開口下縁における傾斜した左右側部４９ｃに対して板面が平行に延在するよう板状に形成されている。ここで、左右の位置決め片８６,８６は、中央部の球開口８３から離間させて前飾り部材８２の側部に設けられているので、球開口８３を注視する遊技者から目につき難くなる。
【００５８】
前記ステージ部材６４は、ステージ部６５の前部(前部材６７において後部材７２の下壁部７５および側壁部７７から前側に突出する転動面６２ａを含む部分と、後部材７２の下凹部７６において下壁部７５から前側に突出する部分)をステージ開口部４９に嵌め合わせて透明板４１の後側から取り付けられる。この際、ステージ部６５の前部は、ステージ開口部４９に整合する形状に形成され、下凹部７６をステージ開口４９の通路切欠４９ｅに沿わせて挿入することで、透明板４１に対して簡単に位置合わせすることができる。また、ステージ開口部４９における開口下縁両側部４９ｃ,４９ｃの下部には、ステージ部材６４の前部材６７に後方へ凹設された部分によってよって、該ステージ開口部４９の開口下縁側部４９ｃとの間に挿入凹部６７ａ,６７ａに形成される。前飾り部材８２は、挿入凹部６７ａ,６７ａに前側から挿入した左右の位置決め片８６,８６を、ステージ開口部４９の開口下縁側部４９ｃ,４９ｃに引っ掛けるように全体的に移動して、各位置決め片８６を該開口下縁側部４９ｃに沿わせて挿入し、各第１位置決めピン８４を透明板４１の対応する第１位置決め孔４１ａに挿入すると共に、各第２位置決めピン８５をステージ部６５の対応する第２位置決め孔６９ａに挿入して、透明板４１およびステージ部材６４に対して位置合わせされる。そして、前飾り部材８２は、該前飾り部材８２の左右側端部および球開口８３の両側部に設けた通孔を介してビスを透明板４１のネジ孔に螺合することで、球通路７８の球出口８０に球開口８３が整合すると共にステージ部材６４と位置合わせした状態で透明板４１に固定される。ここで、各位置決め片８６が挿入される部位には、前述の如くステージ部６５とステージ開口部４９との間に挿入凹部６７ａ,６７ａが形成されているので、各位置決め片８６がステージ部６５と干渉することが回避され、前飾り部材８２をスムーズに位置合わせすることができる。なお、ステージ部材６４と前飾り部材８２のどちらを先に透明板４１に対して取り付けてもよい。
【００５９】
前述の如く各位置決め片８６は、第１位置決めピン８４および第２位置決めピン８５より後方へ突出しているので、前飾り部材８２の透明板４１への取り付けに際して、各位置決め片８６が第１位置決めピン８４および第２位置決めピン８５が対応の位置決め孔４１ａ,６９ａに挿入される前に、各位置決め片８６がステージ開口部４９の開口縁に引っ掛かることで、前飾り部材８２の移動が規制されて、前飾り部材８２の透明板４１に対する大まかな位置合わせを行なうことができる。ここで、左右の位置決め片８６.８６が、ステージ開口部４９の開口下縁における左右の傾斜した側部４９ｃ,４９ｃに夫々対応して設けられているので、該左右の側部４９ｃ,４９ｃに引っ掛かる左右の位置決め片８６,８６によって、前飾り部材８２が透明板４１の板面に沿う下方への移動だけでなく、透明板４１の板面に沿う左右方向の移動が規制され、位置決め片８６を開口縁に沿わせて挿入するだけ位置合わせでき、前飾り部材８２のステージ開口部４９に対する位置合わせが一層簡単になる。また、各位置決め片８６がステージ開口部４９の開口縁に沿って案内されたもとで、第１位置決めピン８４が透明板４１の第１位置決め孔４１ａに整合するので、第１位置決めピン８４の第１位置決め孔４１ａへの挿入が円滑になされる。そして、第１位置決めピン８４を第１位置決め孔４１ａに挿入することで、前飾り部材８２は透明板４１に対して精度よく位置決めされる。また、精度よく透明板４１に位置決めされた前飾り部材８２の第２位置決めピン８５がステージ部材６４の第２位置決め孔６９ａに挿入されることで、両部材８２,６４の位置決めがなされ、ステージ部材６４も透明板４１に対して精度よく取り付けられる。このように、透明な前飾り部材８２および透明なステージ部材６４を透明板４１に取り付ける際に、透明板４１に対する位置合わせが容易であるので、取り付け作業性がよく簡単に取り付けることができる。更に、ワープルート６３を形成するワープルート部６６とステージ部６５とがステージ部材６４に設けられているので、ステージ部材６４の透明板４１への取り付けに起因して、ワープルート部６６とステージ部６５との間に位置ずれが生じない。
【００６０】
前記庇状部材８８は、図柄表示領域Ｒの上方および側方に延在するように形成された合成樹脂製の部材であって、透明板４１の前面に当接して該庇状部材８８の透明板に対する取付部分となる取付部８９と、この取付部８９の前面に突出して遊技領域４０ａを流下するパチンコ球を案内する庇部９０とから基本的に構成される(図１５または図１６参照)。庇状部材８８は、図柄表示領域Ｒの外側方に位置する側部下部が前記ワープルート部６６の上端に重なるように配置され、この側部下端に遊技領域４０ａに臨んで図柄表示領域Ｒと反対側の側方(実施例では左側方)へ開口する導入口９１ａを備える導入部９１が設けられている(図６参照)。導入部９１は、透明板４１に開設された導入開口５０の前側に重なり、この導入開口５０に連通する球通口９２が設けられる共に、該球通口９２の下側半周を覆って導入部９１後面から後方へ突出する規制片９３が設けられている(図１６参照)。導入部９１の規制片９３は、透明板４１の導入開口５０の下側半周に整合する形状に形成され、庇状部材８８を透明板４１の前面に取り付けた際に、規制片９３が導入開口５０に嵌め合わされて位置決めされ、導入口９１ａから球通口９２および導入開口５０を介して第１傾斜路６３ｂの上端に連通するよう構成される。このように、ワープルート６３の導入口９１ａを設けた庇状部材８８は、規制片９３を導入開口５０に整合することで位置決めされるので、ワープルート部６６に対して庇状部材８８を簡単に精度よく位置合わせすることができる。従って、遊技領域４０ａからワープルート６３への導入部分での球詰まりを回避し得る。
【００６１】
前述した如く、庇状部材８８は、合成樹脂の成形品であって、成形型において合成樹脂を注入することで製造される。庇状部材８８は、成形型において樹脂注入口が臨む部位に注入凹部９４が設けられ、実施例の庇状部材８８では、該部材８８の中央部となる図柄表示領域Ｒの上側に延在する取付部８９の後面に設けられている(図１６参照)。すなわち、庇状部材８８には、樹脂注入口に対応する部位である注入凹部９４にバリが生じるが、庇状部材８８を透明板４１に取り付けた際に、注入凹部９４により透明板４１の前面との間に隙間があいているので、バリと透明板４１とが接触することを回避できる。庇状部材８８の上部は、遊技領域４０ａに打ち出されたパチンコ球が当たって衝撃が加わる部分であるが、前記バリが透明板４１に当接していないので、バリと透明板４１との摺接による樹脂粉の発生を防止できる。
【００６２】
(第１可動演出装置について) 
次に、実施例の第１可動演出装置１２０について、図２１〜図２６を主に参照して説明する。図６および図１２に示すように、前記一対の第１可動演出装置１２０,１２０は、遊技盤４０の上部に左右に離間して、上枠部５３の中央に位置する第１発光装置１００を挟んで両脇に配置されれいる。なお、左右の第１可動演出装置１２０,１２０は、構成部材の配置が左右対称な関係であるだけで、構成部材が同一であるので、左側に位置する第１可動演出装置１２０についてのみ、以下に説明する。
【００６３】
図２５に示すように、前記第１可動演出装置１２０は、各構成部材の設置基盤となるケース１２１と、このケース１２１に往復動可能に保持された第１可動体(可動体)１２８と、この第１可動体１２８をリンク機構１３６を介して動作させる駆動手段としてのソレノイド１３４とを備えている。第１可動演出装置１２０は、ケース１２１に構成部材が取り付けられ、ケース１２１毎のユニットとして取扱い可能であり、ユニット単位で裏ユニット５１に対して着脱可能となっている(図２１または図２２参照)。
【００６４】
図２６に示すように、前記ケース１２１は、裏ユニット５１における上枠部５３の背面に取り付けられ、下部が透明板４１と図柄表示装置３０の間に位置すると共に、上部が図柄表示装置３０の上外方(設置領域Ｒの上外方)に位置している。ケース１２１は、左右の離間して対向する側壁１２２,１２２と、左右の側壁１２２,１２２の後端側に接続する後壁１２３とから水平断面略コ字状に基本的に形成され、上端に後壁１２３から前側に突出する上部壁１２４が設けられている(図２５参照)。すなわち、ケース１２１は、透明板４１に臨む前側および可視表示部５２の内側に臨む下側が開放する箱状に形成されている。なお、ケース１２１の上部は、透明なカバー板１２１ａで前面が覆われている(図２１参照)。第１可動演出装置１２０を上枠部５３に配設した状態において、ケース１２１の後壁１２３の下部は、第１発光装置１００の第１基板カバー１００ａと同一水平面に位置し、図柄表示装置３０の収容ケース３２が当接するよう構成される(図２６参照)。すなわち、ケース１２１の後壁１２３が前記前側位置規制部の一部を構成している。またソレノイド１３４は、図柄表示装置３０の設置領域Ｓの上外方(図柄表示装置３０と球タンク２６との間)に位置するよう構成されている。また、中枠１２の球タンク２６との関係において、枢支端側の第１可動演出装置１２０のソレノイド１３４は、タンク本体２６ａと球整流部２６ｂとの境界位置の下方に配置されており、該ソレノイド１３４より枢支端側においては、裏ユニット５１と球タンク２６(球整流部２６ｂ)との間に比較的前後幅の大きな間隙が画成されている。
【００６５】
図２１、図２３または図２４に示すように、前記ケース１２１は、第１発光装置１００側(内側)の側壁１２２に、設置領域Ｓの上外方に位置して配線口(開口)１２６が設けられ、この配線口１２６を介して第１発光手段１３１と第１ＬＥＤ基板１０１とに接続する第１配線(配線)１４２が挿通される。この配線口１２６の開口縁１２６ａは、円弧状に形成されている。このように、第１可動体１２８の動作につれて配線口１２６に挿通した第１配線１４２が移動して開口縁１２６ａと擦れても、開口縁１２６ａがエッジのない円弧形状としてあるので、該開口縁１２６ａとの干渉による第１配線１４２の断線を防止できる。なお、配線口１２６の開口縁１２６ａは、面取りすることでテーパ状に形成してもよい。
【００６６】
図１３に示すように、ケース１２１と第１発光装置１００の第１基板カバー１００ａとの間には、設置領域Ｓの上外方に位置して配線隙間１２７が設けられ、この配線隙間１２７に第１配線１４２が挿通される。すなわち、第１配線１４２は、配線口１２６からケース１２１の外側に引き出された後に、配線隙間１２７を介して裏ユニット５１の裏側に引き出され、第１ＬＥＤ基板１０１の第１ソケット１０１ａに接続される。このように、第１配線１４２は、設置領域Ｓに取り付けられる図柄表示装置３０と干渉しない上方位置から裏ユニット５１の裏側に引き出されているので、第１配線１４２を図柄表示装置３０と裏ユニット５１との間で噛み込んだり、図柄表示装置３０の取り付け時に第１配線１４２が邪魔になったりしない。
【００６７】
図２６に示すように、前記第１可動体１２８は、透明板４１と図柄表示装置３０の間に配置され、可視表示部５２の内側に露出すると共に、透明板４１を介して前側から視認可能になっている。すなわち、第１可動体１２８は、前側に遊技領域４０ａが設けられる透明板４１の後側に設けられているので、第１可動体１２８が動作しても遊技領域４０ａを流下するパチンコ球に影響を与えることはない。なお、第１可動体１２８は、ケース１２１において遊技盤の中央側(内側)に位置する側壁１２２に近接するように偏って、ケース１２１の下部に回動可能に保持されている(図２１参照)。
【００６８】
実施例の第１可動体１２８は、遊技領域４０ａまたは遊技者側に光を照射し得るスポットライトをイメージした役物である(図６参照)。第１可動体１２８は、両端が開放した円筒形の可動体本体１２９と、この可動体本体１２９の前側開口を覆う光透過性を有する前面カバー１３０と、可動体本体１２９の内部に設置され、第１基板１３１ａの前面に第１ＬＥＤ１３１ｂが設けられると共に、第１基板１３１ａの後面に第１コネクタ受部(コネクタ受部)１３１ｃが設けられた第１発光手段１３１と、可動体本体１２９の後側開口を覆い、前面カバー１３０との間に第１発光手段１３１の第１基板１３１ａを保持する後面カバー１３２とから構成される(図２５参照)。第１発光手段１３１の第１コネクタ受部１３１ｃは、第１基板１３１ａの上部に偏倚して設けられ、後面カバー１３２の上部には、第１コネクタ受部１３１ｃに整合する位置にコネクタ開口１３２ａが設けられて、コネクタ開口１３２ａを介して第１コネクタ受部１３１ｃが第１可動体１２８の後面に露出するようになっている(図２４参照)。
【００６９】
前記第１可動体１２８は、可動体本体１２９の後部左右に設けられた貫通孔１２９ａ,１２９ａを、ケース１２１における左右の側壁下部に設けられた軸孔１２２ａ,１２２ａに整合して、これら軸孔１２２ａ,１２２ａおよび貫通孔１２９ａ,１２９ａに挿通した水平方向左右に延在する支軸１３３により、ケース１２１に対して上下方向に回動可能に軸支される(図２５参照)。すなわち、第１可動体１２８は、後部がケース１２１の下部に軸支されて、可動体本体１２９を水平にして前面カバー１３０を前側に臨ませた水平姿勢の第１位置(図２１(ａ),図２３(ａ),図２４(ａ)参照)と、この第１位置から可動体本体１２９の前端を下方に傾斜した傾斜姿勢の第２位置(図２１(ｂ),図２３(ｂ),図２４(ｂ)参照)との間で往復動するようになっている。第１コネクタ受部１３１ｃは、支軸１３３より上方に設けられ、この第１コネクタ受部１３１ｃに、第１ＬＥＤ基板１０１に設置領域Ｓの上外方に位置して設けられる第１ソケット１０１ａに接続する第１配線１４２が接続される(図２４参照)。また第１可動体１２８は、前面カバー１３０の中央部に第１発光手段１３１の第１ＬＥＤ１３１ｂが臨み、該ＬＥＤ１３１ｂからの光が前面カバー１３０を介して前側または遊技領域４０ａ(下側に位置する図柄表示領域Ｒ)に向けて照射されるようになっている。なお、実施例の第１可動演出装置１２０では、第１可動体１２８の第１位置が通常の待機状態となっている。
【００７０】
前記ソレノイド１３４は、ケース１２１における後壁１２３の上部背面に、該後壁１２３と隙間をあけて取り付けられて(図２３または図２４参照)、前記設置領域Ｓの上外方に位置すると共に、第１可動体１２８および図柄表示装置３０の上側に配置される。またソレノイド１３４は、裏ユニット５１における上枠部５３の後側において、中枠１２の上部に設けられた球タンク２６と図柄表示装置３０との間の狭い隙間に配設されている(図２６参照)。ソレノイド１３４は、前側に出力軸１３５を備え、この出力軸１３５が後壁１２３とソレノイド１３４の本体との間の隙間で前後方向に変位するよう構成される(図２４(ａ)および(ｂ)参照)。ソレノイド１３４は、該ソレノイド１３４への通電時に出力軸１３５が後側に変位するよう作動され、ソレノイド１３４への非通電時に、出力軸１３５に力が付加されない自由状態となるよう構成される。このように、ソレノイド１３４の出力軸１３５が前後方向に変位するよう設けたので、設置領域Ｓの上外方のスペースを用いて、ソレノイド１３４を配設することができる。
【００７１】
前記リンク機構１３６は、第１可動体１２８とソレノイド１３４の出力軸１３５とを連結し、第１可動体１２８を常には第１位置へ向けて付勢する一方、ソレノイド１３４の作動に連動して第１可動体１２８を第２位置に向けて付勢するよう構成される。図２５に示すように、リンク機構１３６は、出力軸１３５に連結する第１リンク片１３７と、この第１リンク片１３７と第１可動体１２８とを連結する第２リンク片１３８と、第１可動体１２８が第１位置となるように第１リンク片１３７を付勢する弾性部材１３９とから構成される。第１リンク片１３７は、後壁１２３の後側に位置し、出力軸１３５の前端に半径方向に延出するよう形成された延出端部１３５ａを保持する第１連結部１３７ａと、この第１連結部１３７ａの前面に設けられ、ケース１２１の上部に切り欠き形成された溝１２４ａを介して後壁１２３の前側に前端が臨む第２連結部１３７ｂとを備え、この第２連結部１３７ｂの前端部に下方に開口する連結切欠１３７ｃが設けられている。第２リンク片１３８は、後壁１２３の前側に配置されて、ケース１２１の上部に対して水平方向左右に延在する回動軸１３８ａを介して回動可能に軸支されている。また第２リンク片１３８は、第１リンク片１３７の連結切欠１３７ｃに挿入される連結軸１３８ｂが上部に設けられ、下方に開口する接続切欠１３８ｃが下部に設けられている。またソレノイド１３４の本体と第１リンク片１３７の第１連結部１３７ａとの間には、出力軸１３５を囲繞して弾性部材１３９としてのコイルばねが配設され、この弾性部材１３９によって第１リンク片１３７が常に前側に向けて変位するよう付勢されている。
【００７２】
前記第１可動体１２８は、可動体本体１２９における後部右側に、後斜め上方に延出して当接部１４０が設けられ、この当接部１４０の上部に外側方に突出して、第２リンク片１３８の接続切欠１３８ｃに挿入される接続軸１４０ａが設けられている(図２１参照)。リンク機構１３６は、第１リンク片１３７が前後方向に変位することで、上端の連結軸１３８ｂが第１リンク片１３７の連結切欠１３７ｃに連繋して、回動軸１３８ａを介してケース１２１に軸支された第２リンク片１３８が前後に回動する。そして、リンク機構１３６は、第２リンク片１３８が前後に回動することで、下端の接続切欠１３８ｃに連繋した接続軸１４０ａを介して第１可動体１２８が第１位置と第２位置との間で回動するようになっている。ここで、第１リンク片１３７は、ソレノイド１３４の非通電時には弾性部材１３９の弾力により前側へ向けて付勢されて、これに伴い第２リンク片１３８の上部が前側に変位されて、後側へ変位する第２リンク片１３８の下部によって第１可動体１２８が後上側に向けて引き上げられる(図２１(ａ),図２３(ａ),図２４(ａ)参照)。
【００７３】
そして、第１可動体１２８は、ケース１２１の後壁１２３に当接部１４０が位置規制されることで第１位置で姿勢が保持される(図２４(ａ)参照)。これに対して、第１リンク片１３７は、ソレノイド１３４の通電時に弾性部材１３９の付勢力に抗して後側に強制変位され、これに伴い第２リンク片１３８の上部が後側に範囲されて、前側へ変位する第２リンク片１３８の下部によって第１可動体１２８が前下側に向けて押される(図２１(ｂ),図２３(ｂ),図２４(ｂ)参照)。第１位置から第２位置へ変位する第１可動体１２８は、可動体本体１２９の後端下部が後壁１２３に当接することで、第２位置で位置規制される(図２４(ｂ)参照)。ここで、可動体本体１２９の後端下部には、縁部を面取りすることでテーパ面１２９ｂが形成され、このテーパ面１２９ｂが、第１可動体１２８の第２位置で後壁１２３に当接するようになっている。このように、可動体本体１２９の後端にテーパ面１２９ｂを設けることで、後端を面取りした分だけ第１可動体１２８の回動範囲を広くすることができる。
【００７４】
図２１または図２４に示すように、前記第１可動体１２８の第１位置において、ケース１２１における後壁１２３の当接部１４０を位置規制する部位には、緩衝部材１４１が配設されている。すなわち、当接部１４０は、第１可動体１２８の第１位置において、緩衝部材１４１に当接するよう構成され、緩衝部材１４１を介して後壁１２３により第１可動体１２８における後側への変位が規制される。ここで、緩衝部材１４１は、スポンジやゴム等の弾力性や柔軟性を有する部材が採用され、弾性部材１３９の弾性力により第２位置から第１位置に変位された第１可動体１２８の当接部１４０が後壁１２３に位置規制される際の衝撃を緩衝部材１４１によって吸収している。なお、緩衝部材は、当接部１４０、第１可動体１２８のテーパ面１２９ｂまたは後壁１２３におけるテーパ面１２９ｂを位置規制する部位に設けてもよい。
【００７５】
前記透明板４１と図柄表示装置３０との隙間に配置される第１可動体１２８に設けた第１発光手段１３１と、当該隙間の外側に設置される第１ＬＥＤ基板１０１とは、第１配線１４２で接続されている。第１配線１４２は、下端が第２可動体１２８の後面に露出する第１発光手段１３１の第１コネクタ受部１３１ｃに後側から接続されて、透明板４１およびケース１２１で囲まれる配線空間(空間)１２１ｂを上下に延在し(図２４参照)、側方へ湾曲して側壁１２２の配線口１２６からケース１２１の外に引き出されてた後(図２１参照)、ケース１２１と第１基板カバー１００ａとの間の隙間から遊技盤４０の背面における設置領域Ｒの上外方に取り出される。そして、遊技盤４０の背面に取り出された第１配線１４２の上端は、第１ＬＥＤ基板１０１の第１ソケット１０１ａに接続される。このように、第１配線１４２の下端部は、湾曲させて第１コネクタ受部１３１ｃに後側から接続され、第１可動体１２８の回動に伴って前記配線空間１２１ｂに上下に延在する部分が前後に移動可能なように余裕をもって設けることで、第１配線１４２によって第１可動体１２８の動作を妨げないようになっている。
【００７６】
図２３または図２４に示すように、前記ケース１２１には、第１可動体１２８の往復動に伴う第１配線１４２の移動方向に面する部位に配線開口部(開口部)１２５が設けられる。実施例では、前述の如く第１可動体１２８の上下動への回動に伴って前後に移動する第１配線１４２に対応して、配線開口部１２５がケース１２１の後壁１２３に設けられている。配線開口部１２５は、前記配線空間１２１ｂにおいて上下に延在する第１配線１４２に整合する位置に、第１配線１４２の挿通を許容する幅で後壁１２３を前後に貫通して形成されている。
【００７７】
前記第１可動演出装置１２０では、図柄表示装置３０による図柄変動ゲームや演出表示等に合わせて、あるいは単独で、第１発光手段１３１のＬＥＤ１３１ｂを点滅したり、第１可動体１２８を上下に回動させることで、適宜の演出が行なわれる。また、ＬＥＤ１３１ｂの点滅および第１可動体１２８の動作は、互いに組合わせて行なったり、夫々単独で行なうことで、多彩な演出がなされる。
【００７８】
このように、前記第１可動演出装置１２０は、第１可動体１２８の動作に際して当接部１４０を位置規制する後壁１２３に緩衝部材１４１を設けることで、第１可動体１２８の動作時に発生する衝撃が抑制されて、当該衝撃を原因とする第１配線１４２の断線を防止し得る。また、ケース１２１における第１配線１４２の移動方向に面する後壁１２３に配線開口部１２５が設けられているので、該配線開口部１２５により前後の配線移動スペースが確保される。ここで、第１配線１４２は、第１可動体１２８を透明板４１と図柄表示装置３０との間の狭いスペースに配置している都合上、配線空間１２１ｂを広くとることができず、第１可動体１２８の円滑な動作を許容するために配線空間１２１ｂで湾曲部分を設けることで、配線長に余裕を持たせている。すなわち、ケース１２１に配線開口部１２５を設けることで、少なくとも後壁１２３の板厚分のスペースを確保することができ、配線空間１２１ｂに延在する第１配線１４２の湾曲部分の曲がりを大きくすることができる。従って、配線空間１２１ｂに延在する第１配線１４２の湾曲部分の曲がりが大きくなることで、第１可動体１２８の動作による第１配線１４２にかかるストレスを軽減でき、第１配線１４２の断線を防止し得る。そして、第１可動体１２８の動作につれて第１配線１４２が後方に移動した際に、前記配線空間１２１ｂに延在する第１可動体１２８が配線開口部１２５に収容されて、後壁１２３と第１配線１４２との接触を避けて、第１配線１４２の断線を防止し得る。
【００７９】
前記第１可動演出装置１２０は、弾性部材１３９の付勢力によってリンク機構１３６を引き上げて第１可動体１２８を第１位置に変位する構成とした場合に、重力に抗して第１可動体１２８を迅速に引き上げる必要があり、また第１位置で第１可動体１２８の姿勢を保持するために弾性部材１３９で常に付勢する必要がある。このため、弾性部材１３９の付勢力が大きなり、第１可動体１２８が第２位置から第１位置に変位する際に、後壁１２３で当接部１４０を位置規制したときに生じる衝撃が大きくなるが、後壁１２３における当接部１４０が当接する部位に緩衝部材１４１が設けてあるので、緩衝部材１４１により衝撃を抑えることができる。
【００８０】
(第２可動演出装置)  
次に、実施例の第２可動演出装置１５０について、図２７〜図３５を主に参照して説明する。図６に示すように、実施例の遊技盤４０には、２基の第２可動演出装置１５０,１５０が始動入賞口４３ａの左右両側に位置するよう配置されている。各第２可動演出装置１５０は、裏ユニット５１における下枠部５４の前面に透明板４１の後側に位置して設置されて可視表示部５２の下部を構成するベース部材１４４に設けられ、遊技領域４０ａに臨む始動入賞口４３ａの近傍に配置される第２可動体(可動体)１５２を備えている。ベース部材１４４は、透明板４１を介して前側から視認可能であって、左右横長のベース本体１４６と、このベース本体１４６の中央部に開設した装飾体開口１４６ａに嵌め込まれる装飾体１４８とから構成される(図２７または図３４参照)。装飾体１４８には、前側に設けた始動入賞口４３ａを遊技領域４０ａに臨ませると共に、透明板４１に設けられた下枠部開口５４ａに挿通して後部を裏ユニット５１の後側に位置させて該透明板４１に取り付けられる始動入賞装置４３が挿通されるベース開口１４８ａが設けられている。そして、各第２可動演出装置１５０は、ベース部材１４４におけるベース本体１４６の前面に設けられた第２可動体１５２が、始動入賞口４３ａの上方に配置されたステージ部材６４の下方で、透明板４１に配設された遊技釘４７により始動入賞口４３ａにパチンコ球を誘導するよう形成された流下経路４０ｂの後側に重なる位置に配置される(図６参照)。なお、裏ユニット５１の下枠部５４には、ベース部材１４４に設けられる左右の第２可動演出装置１５０,１５０の後側に対応して下枠部開口５４ａが設けられている(図１３参照)。
【００８１】
前記裏ユニット５１の下枠部５４の後面には、２枚の第４ＬＥＤ基板(基板)１０５が、左右に離間配置した２基の第２可動演出装置１５０,１５０に夫々対応させて、前記下枠部開口５４ａの両側部に配設されている(図１３参照)。開放端側の第２可動演出装置１５０では、開放端側の外側方に対応する第４ＬＥＤ基板１０５が配置され、枢支端側の第２可動演出装置１５０では、枢支端側の外側方に対応する第４ＬＥＤ基板１０５が配置される。そして、第２可動体１５２に設けられる第２発光手段(発光手段)１６０と第４ＬＥＤ基板１０５とが第２配線(配線)１８０(図２８または図３５参照)で接続されると共に、第４ＬＥＤ基板１０５と中継基板１０６とが配線で接続される。なお、左右の第２可動演出装置１５０,１５０は、構成部材の配置が左右対称な関係であるだけで、構成部材が同一であるので、左側に位置する第２可動演出装置１５０についてのみ、以下に説明する。
【００８２】
図３２,図３３または図３４に示すように、前記第２可動演出装置１５０は、ベース部材１４４におけるベース本体１４６の前側に回動可能に設けられた第２可動体１５２と、設置領域Ｓの外下方に位置して、ベース部材１４４の後側に位置して下枠部５４の裏側に取り付けられた設けられたカバー部材１６２と、このカバー部材１６２の後面に設けられ、設置領域Ｓの外下方に位置する駆動手段としてのモータ１６６と、このモータ１６６および第２可動体１５２の回転軸１５８を連結する伝達機構１６８とから基本的に構成される。すなわち、第２可動演出装置１５０は、モータ１６６を駆動すると伝達機構１６８を介して、第２可動体１５２が前後に延在する回転軸１５８を中心として回動するよう構成される。なおモータ１６６は中継基板１０６に配線接続される。
【００８３】
図２７に示すように、前記第２可動体１５２は、パチンコ機１０のモチーフに合わせて形成された役物であり、図３５に示すように、透明板４１と図柄表示装置３０の前側に位置するベース部材１４４との間に配置されている。図３２または図３３に示すように、第２可動体１５２は、円形の本体部１５３と、この本体部１５３に設けられ、該本体部１５３から半径方向(透明板４１の板面に沿う方向)へ延出する透明な延出部１５６と、本体部１５３の内部に設けられ、延出部１５６における該本体部１５３からの延出方向へ光を照射するよう設けられた第２発光手段(発光手段)１６０と(図３４参照)、延出部１５６に設けられ、第２発光手段１６０から照射された光を前側へ反射する反射部１５７と、本体部１５３の前壁に設けられ、第２発光手段１６０の光を視認可能な本体開口部(開口部)１５９とから構成される。実施例の第２可動体１５２は、延出部１５６が本体部１５３から半径方向上側に向けて延出するよう構成され、第２可動体１５２の回動によって延出部１５６が本体部１５３における上側半周の領域を往復移動するようになっている(図２７参照)。すなわち、第２可動体１５２の延出部１５６は、上側に位置するステージ部６５および図柄表示領域Ｒを指向するよう構成され(図６参照)、図柄表示領域Ｒに表示される図柄変動ゲームと第２可動演出装置１５０による演出とを関連付けしてもよい。
【００８４】
前記本体部１５３は、光を反射する処理(実施例では露出面が銀色の反射色で塗装)が施されて該本体部１５３の露出面をなし、後方に開放した器状の外部材１５４と、この外部材１５４の内側に嵌め合わされて該外部材１５４との間に延出部１５６を保持する透明な内部材１５５とから構成される(図３０または図３４参照)。すなわち、延出部１５６は、外部材１５４と内部材１５５とにより適切に保持される。なお実施例では、延出部１５６がアクリル樹脂から成形され、内部材１５５がポリカーボネートから成形される。すなわち、延出部１５６は、第２発光手段１６０からの光の照射を受けて発光する部分であるので、高い光透過性を備えるアクリル樹脂が採用され、内部材１５５は、延出部１５６や第２発光手段１６０を保持するために複雑な形状となるので、成形性がよいポリカーボネートが採用される。
【００８５】
図３４に示すように、前記外部材１５４は、前記本体開口部１５９が設けられた前壁１５４ａおよびこの前壁１５４ａの周縁から後方へ突出する周壁１５４ｂとを備えた中空部材であって、延出部１５６が挿通される取付開口１５４ｃが周壁１５４ｂに設けられると共に、延出部１５６の取付端部に側方へ夫々突出形成された取付部１５６ａ,１５６ａを保持する保持部が取付開口１５４ｃの内側に設けられる。図２８に示すように、保持部は、延出部１５６の両取付部１５６ａ,１５６ａの前面に突出形成された突出ピン１５６ｂが挿入される保持孔(図示せず)と、外部材１５４における取付開口１５４ｃ中央に後方へ突出形成され、延出部１５６の取付端部前面に設けられた挿入保持孔１５６ｃに挿入される保持ピン１５４ｄとから構成される。また外部材１５４の内側中央部には、回転軸１５８が挿入固定される軸固定部１５４ｅが設けられている。
【００８６】
図２９に示すように、前記本体開口部１５９は、延出部１５６の延出方向と交差する側方に並べて複数(実施例では４箇所)設けられ、各本体開口部１５９は、外部材１５４の前壁を前後に貫通すると共に、延出部１５６の延出方向に長辺が沿う矩形状に形成される。また本体開口部１５９は、外部材１５４における取付開口１５４ｃ側に中心から偏倚した部位に設けられる。
【００８７】
図３４に示すように、前記内部材１５５は、略円形を基本形状とする部材であって、外部材１５４の内側に後方から嵌め合わされる。内部材１５５は、取付開口１５４ｃに臨ませて設けられた発光手段開口１５５ａを延出部１５６の取付端部に対向させて外部材１５４の周壁１５４ｂ内面との間に両取付部１５６ａ,１５６ａを保持すると共に、第２発光手段１６０を発光手段開口１５５ａに臨ませて支持する内側保持部を備えている(図２８参照)。内側保持部は、発光手段開口１５５ａの左右の側縁に外部材１５４の周壁１５４ｂ内面との間で両取付部１５６ａ,１５６ａの側面を挟む側面保持部分１５５ｂと、発光手段開口１５５ａの後縁から延出部１５６の延出方向へ突出形成され、外部材１５４の前壁１５４ａ内面との間で延出部１５６の両取付部１５６ａ,１５６ａの後面を挟む後面保持部分１５５ｃと、この後面保持部分１５５ｃと発光手段開口１５５ａの後縁との間に第２発光手段１６０の第２基板１６０ａを挟む基板保持部分１５５ｄとから構成される(図３４参照)。すなわち、第２発光手段１６０は、内側保持部の基板保持部分１５５ｄに対して後方から挿脱可能であり、基板保持部分１５５ｄによって本体部１５３の半径方向への移動が規制され、回転軸１５８の後端に設けられる伝達機構１６８の第１ギヤ(ギヤ)１６９によって基板保持部分１５５ｄに保持した第２発光手段１６０の後方への移動が規制される(図２８,図３０,図３１参照)。なお、内部材１５５の中央部には、回転軸１５８が挿通する回転軸開口１５５ｅが開設されている(図３４参照)。
【００８８】
図３４に示すように、前記延出部１５６は、略矩形状に形成された透明な部材であって、本体部１５３への取付端部の側方に夫々延出して左右の取付部１５６ａ,１５６ａが設けられ、取付端部の中央部に本体部１５３からの延出方向に窪ませて設置凹部１５６ｄが設けられている。また延出部１５６には、本体部１５３から延出して外方に臨む部分後面に反射部１５７が設けられている(図３０または図３３参照)。更に延出部１５６は、本体部１５３から延出して外方に臨む部分前面に、延出方向に沿って延在すると共に該延出方向と交差する側方に並べて複数設けられた溝状のレンズカット部１５６ｅを備えている(図２９または図３２参照)。なお、延出部１５６の延出端部は、左右の角部が面取りされてテーパ面が形成されている。実施例の反射部１５７は、延出部１５６の後面を白色に塗装することで設けられ、本体部１５３の内側から延出部１５６の延出方向に照射される光の一部を前側に向けて反射するよう構成される。そして、反射部１５７で前側に向けて反射された光は、レンズカット部１５６ｅで拡散されて、遊技者から延出部１５６全体が光っているように視認される。
【００８９】
前記延出部１５６は、本体部１５３に取り付けた際に、内側保持部の基板保持部分１５５ｄに保持されて発光手段開口１５５ａを介して半径方向外側に指向する第２発光手段１６０の第２ＬＥＤ１６０ｂが設置凹部１５６ｄに位置するよう構成される(図２８参照)。また延出部１５６は、取付端部の両取付部１５６ａ,１５６ａが、該延出部１５６の延出方向と交差する側方に並べて設けられた複数の本体開口部１５９のなかで外側方に位置する本体開口部１５９の後側に夫々整合するようになっている。ここで、内側保持部の基板保持部分１５５ｄに保持された第２発光手段１６０の第２ＬＥＤ１６０ｂは、複数の本体開口部１５９のなかで内側に位置する２つの本体開口部１５９,１５９の間に配置され、外部材１５４の前壁１５４ａで正面が覆われている。すなわち、第２ＬＥＤ１６０ｂを点灯することで、延出部１５６が光るだけでなく、複数の本体開口部１５９を介して光が漏れる。ここで、複数の本体開口部１５９のうち外側方に位置するものは、透明な延出部１５６の取付部１５６ａで覆われる一方、複数の本体開口部１５９のうち内側に位置するものは開放されている。すなわち、延出部１５６の取付部１５６ａに覆われた外側方の本体開口部１５９と覆われていない内側の本体開口部１５９とでは発光態様を異ならせることできる。なお、第２ＬＥＤ１６０ｂは、前壁１５４ａの真後ろに位置しているので、本体開口部１５９を介して第２ＬＥＤ１６０ｂが直接視認されることはなく、第２可動体１５２の意匠性を損なわない。
【００９０】
前記第２発光手段１６０は、第２基板１６０ａの一面に設けられた第２ＬＥＤ１６０ｂと、第２基板１６０ａの一面に設けられ、第２ＬＥＤ１６０ｂより後方に位置して後側に開口する第２コネクタ受部(コネクタ受部)１６０ｃとを備えている(図３４参照)。第２コネクタ受部１６０ｃには、第２配線１８０の一端が接続され、第２可動体１５２の左右への回動につれて第２配線１８０の一端側が左右に移動する。第２発光手段１６０は、内側保持部の基板保持部分１５５ｃに保持された際に、発光手段開口１５５ａを介して第２ＬＥＤ１６０ｂが延出部１５６における設置凹部１５６ｄの中央に臨むよう構成され、第２ＬＥＤ１６０ｂから延出部１５６の延出方向に指向させて光を照射し得るようになっている。ここで、第２可動体１５２の本体部１５３の後面において、第２コネクタ受部１６０ｃは、回転軸１５８から半径方向外側(実施例では上側)に偏倚した位置に設けられている(図３０参照)。
【００９１】
前記ベース部材１４４のベース本体１４６には、第２コネクタ受部１６０ｃの回動領域に対応する部位に、前後に貫通するコネクタ開口(開口部)１４７が設けられている(図３４参照)。更にベース本体１４６には、回転軸１５８が挿通される回転軸孔１４６ｂが設けられ、コネクタ開口１４７を介して第２コネクタ受部１６０ｃがベース部材１４４の後側に臨むと共に、回転軸孔１４６ｂを介して回転軸１５８の後端がベース部材１４４の後側に突出するようになっている。そして、ベース部材１４４の後側の第１空間１７２に露出する回転軸１５８(第１ギア１６９の中央に後側に突出する部分)の後端縁部(縁部)１５８ａは、角部が面取りされてテーパ形状または円弧形状に形成される(図３１または図３３参照)。ここで、第２可動体１５２の回転軸１５８とは、本体部１５３の軸固定部に前端が固定される棒状の軸部分が挿通固定される第１ギヤ１６９の中央に後側に突出する部分も含む。
【００９２】
前記伝達機構１６８は、ベース部材１４４の後側から下枠部開口５４ａを介して裏ユニット５１の裏側に突出する回転軸１５８の後端に固定された第１ギヤ１６９と、モータ１６６の出力軸の前端に固定され、第１ギヤ１６９の歯部と噛合する歯部が全周に設けられた第２ギヤ１７０とから構成される(図３１または図３２参照)。第１ギヤ１６９には、第２発光手段１６０の第２コネクタ受部１６０ｃに対応する半径方向上側に偏倚した部位にコネクタ切欠１６９ａが形成され、このコネクタ切欠１６９ａに第２コネクタ受部１６０ｃが整合して位置するようになっている(図３３参照)。第１ギヤ１６９は、コネクタ切欠１６９ａの周縁でベース部材１４４のコネクタ開口１４７を介して後側に臨む第２発光手段１６０の第２基板１６０ａを後から保持するよう構成される。このように、伝達機構１６８の第１ギヤ１６９を用いて本体部１５３に取り付けた第２発光手段１６０の第２基板１６０ａを位置規制することで、第２発光手段１６０の支持構造を簡略化できる。また第１ギヤ１６９には、下側半周に歯部が設けられ、第２ギヤ１７０は、第１ギヤ１６９の下側に配置されている。第２可動体１５２を伝達機構１６８を介してモータ１６６で回動する構成とすることで、モータ１６６を設置領域Ｓの外側に設けることができる。
【００９３】
前記第１ギヤ１６９には、後面における下側半周に円弧状に延在すると共に、該後面から後方へ突出する検知片１７１が設けられている(図３３参照)。検知片１７１は、カバー部材１６２の前面に設けられる原位置検知手段１７４の上下のセンサ１７５間を通過するように構成され(図３２参照)、該検知片１７１の検知の有無により第２可動体１５２の位置が原位置検知手段１７４で検知され、これに基づきモータ１６６が駆動制御される。
【００９４】
図２８または図３０に示すように、前記カバー部材１６２は、第１ギヤ１６９の下側半分、第２ギヤ１７０および原位置検知手段１７４を覆って、下枠部５４の後面に取り付けられ、後面における下部中央にモータ１６６が出力軸を前側に向けて設置さている。カバー部材１６２は、上面が図柄表示装置３０(具体的には図柄表示装置３０の下面を支持する支持片３６)の下側に重なるようになっている(図３５参照)。カバー部材１６２は、図柄表示装置３０との対向面となる上面中央に形成された配線凹部(凹部)１６３と、ベース部材１４４の後側に突出する回転軸１５８の下側半周(第２コネクタ受部１６０ｃの設置位置と反対側の半周)を覆う軸保持部(保持部)１６４とが設けられている(図３２または図３３参照)。配線凹部１６３は、角部がない円弧状に窪ませて形成される。軸保持部１６４は、カバー部材１６２の上部前側に位置して配線凹部１６３の前側に設けられ、回転軸１５８の下側半周側方を覆うように延在して、回転軸１５８の下および左右の移動を規制する周壁片と、この周壁片の後部に設けられて回転軸１５８の後方への移動を規制する後壁片とから構成される。更にカバー部材１６２の後面中央には、配線凹部１６３の下側に位置して、第２配線１８０を上下に延在するよう位置規制する整線部材１６５が設けられている(図３０または図３３参照)。
【００９５】
前記カバー部材１６２の後面には、原位置検知手段１７４の接続口(別のコネクタ受部)１７６が挿通するカバー開口１６２ａが、整線部材１６５の脇に設けられ、このカバー開口１６２ａを介してカバー部材１６２から露出する接続口１７６と中継基板１０６とが配線接続されている(図３０参照)。なお、カバー開口１６２ａから露出する接続口１７６は、第２可動演出装置１５０の第２発光手段１６０の第２配線１８０が接続する対応の第４ＬＥＤ基板１０５と整線部材１６５を挟んで反対側(内側方)に配置され、例えば左側の第２可動演出装置１５０であれば、カバー部材１６２の左側に対応する第４ＬＥＤ基板１０５が配設されるので、カバー部材１６２の右側に偏倚する位置に接続口１７６が露出している。
【００９６】
図３１または図３３に示すように、前記整線部材１６５は、カバー部材１６２の後面に後方へ突出するように設けられている。整線部材１６５は、第１板部(壁部)１６５ａと、この第１板部１６５ａに対して第２可動体１５２の回動に伴う第２配線１８０の移動方向(左右方向)に離間して該配線１８０の移動を許容する間隔で対向配置した第２板部(壁部)１６５ｂと、第１板部１６５ａの後端と第２板部１６５ｂを接続する連結板部１６５ｃとを本体とするフック状に形成される(図３３参照)。また整線部材１６５は、第２板部１６５ｂの前端とカバー部材１６２の後面との間に挿通口１６５ｄが設けられ、該挿通口１６５ｄから第２配線１８０が第１板部１６５ａと第２板部１６５ｂとの間に挿入される。なお、整線部材１６５は、第２板部１６５ｂの後側を連結板部１６５ｃより後方に延出形成することで、第２配線１８０の挿脱に際して第２板部１６５ｂを変形させて、挿通口１６５ｄを拡開するつまみ板部１６５ｅが設けられている。整線部材１６５は、対応する第４ＬＥＤ基板１０５から離間する側(内側方)に第１板部１６５ａが配置され、対応するＬＥＤ基板１０５側(外側方)に第２板部１６５ｂおよび挿通口１６５ｄが配置されている。このように、整線部材１６５の内側方には原位置検知手段１７４用の接続口１７６が設けられているが(図３０参照)、この接続口１７６と反対側となる外側方に挿通口１６５ｄを設けてあるので、整線部材１７５への第２配線１８０の挿脱作業を行ない易い。
【００９７】
図３５に示すように、前記第２可動演出装置１５０は、上部が図柄表示装置３０の前側に重なるよう配置され、下枠部開口５４ａを介して裏ユニット５１の裏側に臨む第２可動体１５２の上部および第１ギヤ１６９の上部が、図柄表示装置３０(図柄表示装置３０の下部を保持する支持片３６の前側片)の前側に位置している。すなわち、第２可動体１５２における本体部１５３の上部に配置されている第２発光手段１６０の第２コネクタ受部１６０ｃが、図柄表示装置３０の前側に位置している。第２可動体１５２の上部および第１ギヤ１６９の上部と図柄表示装置３０との間には、隙間が形成され、この隙間が第２コネクタ受部１６０ｃと第４ＬＥＤ基板１０５とを接続する第２配線１８０が挿通される第１空間１７２となる。また、図柄表示装置３０の下側には、カバー部材１６２の上面が重なるように取り付けられているが、カバー部材１６２の上面に凹設された配線凹部１６３により第１空間１７２と連通する第２空間１７３が形成される。ここで、支持片３６が設置される前記設置部材５９の上壁５９ａには、第２空間１７３に対応する部位に上下に貫通する通過口５９ｂが設けられ(図１４参照)、第２空間１７３に挿通される第２配線１８０と設置部材５９との干渉が回避される。
【００９８】
前記第２発光手段１６０の第２コネクタ受部１６０ｃに後側から接続された第２配線１８０は、第１空間１７２を上下に延在した後に前後方向に湾曲されて、前後に延在する第２空間１７３を挿通して裏ユニット５１の裏側(カバー部材１６２の裏側)に引き出される(図３５参照)。すなわち、第２配線１８０は、狭い第１空間１７２において、後方に臨む第２コネクタ受部１６０ｃから上下方向に移行する部位と、前後に延在する第２空間１７３に挿通するために上下方向から前後方向に移行する部位との２箇所で湾曲している。そして、カバー部材１６２の裏側に引き出された第２配線１８０は、下側に湾曲して整線部材１６５における一対の板部１６５ａ,１６５ｂの間を通って上下に延在させた後、外側方へ湾曲されて、カバー部材１６２の外側方に配置された対応する第４ＬＥＤ基板１０５に接続される。
【００９９】
前記第２可動演出装置１５０は、モータ１６６を駆動することで、伝達機構１６８を介して第２可動体１５２が回転軸１５８を中心に左右に回動され、延出部１５６の指向方向が変化する。左右の第２可動演出装置１５０,１５０は、左右の第２可動体１５２,１５２を同期して同じ方向または異なる方向に回動しても、夫々を独立して回動させてもよい。そして、各第２可動体１５２に設けた第２発光手段１６０の第２ＬＥＤ１６０ｂを点滅したり、発光色を変化させる発光による演出が、第２可動体１５２の動作と独立してまたは合わせて行なわれる。なお、第２可動演出装置１５０による演出は、図柄表示装置３０による演出表示と連動して行なってもよく、例えば図柄表示装置３０による表示に合わせて、第２可動体１５２の延出部１５６が指向するように第２可動体１５２を回動したり、第２ＬＥＤ１６０ｂを発光させる構成が採用される。
【０１００】
前記第２可動体１５２は、第２発光手段１６０の第２ＬＥＤ１６０ｂを点灯することで、透明板４１の板面に沿う延出部１５６の延出方向に光が照射される。この際、延出部１５６の裏面に設けられた反射部１５７で光の一部が前側に反射されることで、透明な延出部１５６全体が発光しているように見える。また、第２ＬＥＤ１６０ｂから照射される光は指向性が高いので、延出部１５６が指向している側が照らされる。同時に、複数の本体開口部１５９から第２ＬＥＤ１６０ｂの光が漏れて、また該本体開口部１５９から漏れた光により反射処理が施された本体部１５３が輝く。すなわち、第２可動体１５２は、本体部１５３に内蔵された第２発光手段１６０の第２ＬＥＤ１６０ｂから照射された光を反射部１５７で反射することで発光する延出部１５６と、本体部１５３における複数の本体開口部１５９から視認される光との異なる発光態様が得られる。このように、単一の第２ＬＥＤ１６０ｂによって異なる発光態様が得られるので、装置の大型化を招くことなく、より興趣をかき立てる発光演出を行ない得る。
【０１０１】
前記第２可動演出装置１５０は、第２可動体１５２を透明板４１の後側に配置したので、透明板４１の前側に設けられた遊技領域４０ａを流下するパチンコ球の動きに第２可動体１５２が干渉することはなく、第２可動体１５２の動作により遊技領域４０ａを流下するパチンコ球の動きに影響を与えて、遊技者に不利益をもたらすことはない。すなわち、第２可動体１５２の配設位置がパチンコ球との関係で制限されることはなく、第２可動体１５２を遊技者が注視している始動入賞口４３ａの近傍に配置することができる。従って、第２可動体１５２による演出を遊技者により注目させることができ、第２可動体１５２による演出効果を向上し得る。そして、遊技領域４０ａにおける左右の流下経路４０ｂ,４０ｂと重なる位置に第２可動体１５２を夫々配置することで、中央の始動入賞口４３ａに向けて側方から流下するパチンコ球の動きと左右に回動する第２可動体１５２の動作とを関連付けることができ、演出効果を一層向上し得る。
【０１０２】
前記第２可動体１５２を回動することで、第２発光手段１６０の第２コネクタ受部１６０ｃも回動するので、該第２コネクタ受部１６０ｃに接続する第２配線１８０は、第２可動体１５２と共に左右に移動する。ここで、整線部材１６５は、第２配線１８０を固定しするものではなく、カバー部材１６２の裏側に引き出された第２配線１８０の延在方向を対向する板部１６５ａ,１６５ｂで規定するものであって、第２可動体１５２の移動に伴う第２配線１８０の上下左右の移動が許容される。すなわち、第２配線１８０は、狭い第１空間１７２および第２空間１７３に延在し、また第１空間１７２および第２空間１７３で延在方向が異なるので途中で湾曲するが、整線部材１６５が第２配線１８０の移動を許容する構成であるので、第２可動体１５２の回動に際して第２配線１８０にストレスがかかり難くなり、第２配線１８０の断線を防止し得る。そして、第２配線１８０にストレスがかかり難いので、図柄表示装置３０を支持するために剛性を有する支持片３６の下側に第２配線１８０を通しても、支持片３６に対する摺接負荷を軽減でき、第２配線１８０の断線を防止し得る。
【０１０３】
また、回転軸１５８の後端を保持して第２可動体１５２のぶれを抑制する軸保持部１６４を備えるカバー部材１６２は、該軸保持部１６４が回転軸１５８を保持するのに要する最小限の形状とされているので、前記第１空間１７２における第２配線１８０の挿通スペースを確保し得る。従って、第１空間１７２に挿通される湾曲径を大きくすることができ、第２配線１８０にかかるストレスが軽減されるので、第２配線１８０の断線を防止し得る。そして、軸保持部１６４から露出して第１空間１７２に臨んでいる回転軸１５８の後端縁部１５８ａをテーパ形状または円弧形状とすることで、該回転軸１５８との摺接に起因する第２配線１８０の断線を防止できる。
【０１０４】
(変更例)
前述した実施例の構成に限定されず、以下の構成も採用し得る。
(１)ステージ部材の後部材にワープルート部を一体形成する例を挙げたが、別体のワープルート部をステージ部に接続することで一体化してもよい。
【０１０５】
(２)２基の第１可動演出装置を設ける例を挙げたが、１基でも３基以上の複数であってもよい。また、第１可動体の動作方向も限定されず、例えば左右に往復動作させてもよい。
【０１０６】
(３)２基の第２可動演出装置を設ける例を挙げたが、１基でも３基以上の複数であってもよい。また、第２可動体の動作方向も限定されず、例えば上下に往復動作させてもよい。
【図面の簡単な説明】
【０１０７】
【図１】本発明の好適な実施例に係るパチンコ機を示す正面図である。
【図２】実施例のパチンコ機を前枠および遊技盤を取り外した状態で示す正面図である。
【図３】実施例のパチンコ機を前枠を開放した状態で示す斜視図である。
【図４】実施例のパチンコ機を示す背面図である。
【図５】実施例の図柄表示装置であって、(ａ)は背面図であり、(ｂ)は(ａ)のＡ−Ａ線断面図である。
【図６】実施例の遊技盤を示す正面図であって、裏ユニットを破線で示す。
【図７】実施例の遊技盤を分解して示す側面図である。
【図８】実施例の遊技盤であって、図柄表示装置を取り付けた状態で示す斜視後面図である。
【図９】実施例の遊技盤であって、図柄表示装置を取り外した状態で示す斜視後面図である。
【図１０】図６のＢ−Ｂ線断面図である。
【図１１】図６のＣ−Ｃ線断面図である。
【図１２】実施例の裏ユニットを示す正面図である。
【図１３】実施例の裏ユニットを示す背面図である。
【図１４】実施例の設置部材および支持片を示す斜視図である。
【図１５】実施例の遊技盤において、ステージを構成する部材を分解して示す斜視前面図である。
【図１６】実施例の遊技盤において、ステージを構成する部材を分解して示す斜視後面図である。
【図１７】実施例のステージを示す正面図である。
【図１８】実施例のステージ部材を示す正面図である。
【図１９】図１７のＤ−Ｄ線断面図である。
【図２０】図１０のステージ部分の拡大図である。
【図２１】実施例の第１可動演出装置を示す正面図であって、(ａ)は第１可動体の第１位置であり、(ｂ)は第１可動体の第２位置である。
【図２２】実施例の第１可動演出装置を示す背面図である。
【図２３】実施例の第１可動演出装置を示す側面図であって、(ａ)は第１可動体の第１位置であり、(ｂ)は第１可動体の第２位置である。
【図２４】実施例の第１可動演出装置を示す断面図であって、(ａ)は第１可動体の第１位置であり、(ｂ)は第１可動体の第２位置である。
【図２５】実施例の第１可動演出装置を示す分解斜視図である。
【図２６】図１０の第１可動演出装置部分の拡大図である。
【図２７】実施例の第２可動演出装置を備えたベース部材を示す正面図である。
【図２８】図２７のＥ−Ｅ線断面図である。
【図２９】実施例の第２可動演出装置を示す正面図である。
【図３０】実施例の第２可動演出装置を示す背面図である。
【図３１】実施例の第２可動演出装置を示す側面図である。
【図３２】実施例の第２可動演出装置を一部分解して示す斜視前面図である。
【図３３】実施例の第２可動演出装置を一部分解して示す斜視後面図である。
【図３４】実施例の第２可動演出装置を分解して示す斜視図である。
【図３５】図１１の第２可動演出装置部分の拡大図である。
【符号の説明】
【０１０８】
３０ 図柄表示装置
４０ 遊技盤
４０ａ 遊技領域
４１ 透明板
４１ａ 第１位置決め孔
４３ａ 始動入賞口
４９ ステージ開口部(開口部)
５０ 導入開口
５１ 裏ユニット
５２ 可視表示部
６２ａ 転動面
６３ ワープルート
６３ｂ 第１傾斜路
６３ｃ 第２傾斜路
６４ ステージ部材
６５ ステージ部
６６ ワープルート部
６７ 前部材
６７ａ 挿入凹部
６８ａ 案内溝
６９ａ 第２位置決め孔
７０ａ 突片
７１ 縦リブ
７２ 後部材
７３ 後壁部(後壁)
７３ａ 挿入孔
７６ａ 斜面
７８ 球通路
７８ａ 第１通路
７８ｂ 第２通路
７９ 球入口
８０ 球出口
８２ 前飾り部材
８４ 第１位置決めピン
８５ 第２位置決めピン
８６ 位置決め片
８３ 球開口
８８ 庇状部材
９１ａ 導入口
９３ 規制片
Ｒ 図柄表示領域
Ｓ 設置領域
【図１】
0005108614.tif 000002
【図２】
0005108614.tif 000003
【図３】
0005108614.tif 000004
【図４】
0005108614.tif 000005
【図５】
0005108614.tif 000006
【図６】
0005108614.tif 000007
【図７】
0005108614.tif 000008
【図８】
0005108614.tif 000009
【図９】
0005108614.tif 000010
【図１０】
0005108614.tif 000011
【図１１】
0005108614.tif 000012
【図１２】
0005108614.tif 000013
【図１３】
0005108614.tif 000014
【図１４】
0005108614.tif 000015
【図１５】
0005108614.tif 000016
【図１６】
0005108614.tif 000017
【図１７】
0005108614.tif 000018
【図１８】
0005108614.tif 000019
【図１９】
0005108614.tif 000020
【図２０】
0005108614.tif 000021
【図２１】
0005108614.tif 000022
【図２２】
0005108614.tif 000023
【図２３】
0005108614.tif 000024
【図２４】
0005108614.tif 000025
【図２５】
0005108614.tif 000026
【図２６】
0005108614.tif 000027
【図２７】
0005108614.tif 000028
【図２８】
0005108614.tif 000029
【図２９】
0005108614.tif 000030
【図３０】
0005108614.tif 000031
【図３１】
0005108614.tif 000032
【図３２】
0005108614.tif 000033
【図３３】
0005108614.tif 000034
【図３４】
0005108614.tif 000035
【図３５】
0005108614.tif 000036